(57)【特許請求の範囲】
【請求項１】
基地局が、少なくとも一つのユーザ機器にチャンネル測定用基準信号を送信する方法であって、
前記基準信号を搬送する第１の時間‐周波数資源を示す第１の情報と、どのサブフレームが前記第１の時間‐周波数資源を含むかを示すための第１のサブフレーム期間Ｐ１を含む第１のサブフレーム情報と、ナリングされる第２の時間‐周波数資源を示す第２の情報と、どのサブフレームが前記第２の時間‐周波数資源を含むかを示すための第２のサブフレーム期間Ｐ２を含む第２のサブフレーム情報とを送信するステップ、及び
前記第１の情報及び前記第１のサブフレーム情報に基づいて、以降第１のサブフレームと呼ぶ、前記第１のサブフレーム期間Ｐ１に対応するサブフレームにおいて、前記第１の時間‐周波数資源上でＰ１サブフレームの周期で前記基準信号を送信し、前記第２の情報及び前記第２のサブフレーム情報に基づいて、以降第２のサブフレームと呼ぶ、前記第２のサブフレーム期間Ｐ２に対応するサブフレームにおいて、Ｐ２サブフレームの周期で前記第２の時間‐周波数資源をナリングするステップを有し、
前記第１のサブフレーム期間及び前記第２のサブフレーム期間はそれぞれ、複数のサブフレームに対応する、方法。
【請求項２】
前記第１の時間‐周波数資源及び前記第２の時間‐周波数資源はそれぞれ、前記基準信号の送信用に規定された複数の基準信号パターンのうち一つである、請求項１に記載の方法。
【請求項３】
前記第１のサブフレーム及び前記第２のサブフレームはそれぞれ、二つのスロット、すなわちスロット０及びスロット１から成り、前記二つのスロットはそれぞれ、７個の直交周波数分割多重化（ＯＦＤＭ）シンボル、すなわちＯＦＤＭシンボル０〜６を含み、
前記第１の時間‐周波数資源は前記第１のサブフレームの二つのＯＦＤＭシンボル内にあり、
前記二つのＯＦＤＭシンボルは、前記スロット０のＯＦＤＭシンボル０，１，２及び４、並びに前記スロット１のＯＦＤＭシンボル０，１及び４以外である、請求項１に記載の方法。
【請求項４】
前記第１のサブフレーム情報は、前記第１の時間‐周波数資源用の第１のサブフレームオフセットを含み、前記第２のサブフレーム情報は、前記第２の時間‐周波数資源用の第２のサブフレームオフセットを含む、請求項１〜３のいずれか一項に記載の方法。
【請求項５】
ユーザ機器が、基地局からチャンネル測定用基準信号を受信する方法であって、
前記基準信号を搬送する第１の時間‐周波数資源を示す第１の情報と、どのサブフレームが前記第１の時間‐周波数資源を含むかを示すための第１のサブフレーム期間Ｐ１を含む第１のサブフレーム情報と、ナリングされる第２の時間‐周波数資源を示す第２の情報と、どのサブフレームが前記第２の時間‐周波数資源を含むかを示すための第２のサブフレーム期間Ｐ２を含む第２のサブフレーム情報とを受信するステップ、及び
前記第１の情報及び前記第１のサブフレーム情報に基づいて、以降第１のサブフレームと呼ぶ、前記第１のサブフレーム期間Ｐ１に対応するサブフレームにおいて、前記第１の時間‐周波数資源上でＰ１サブフレームの周期で前記基準信号を受信するステップを有し、
前記第２の情報及び前記第２のサブフレーム情報に基づいて、以降第２のサブフレームと呼ぶ、前記第２のサブフレーム期間Ｐ２に対応するサブフレームにおいて、Ｐ２サブフレームの周期で前記第２の時間‐周波数資源はナリングされると仮定し、
前記第１のサブフレーム期間及び前記第２のサブフレーム期間はそれぞれ、複数のサブフレームに対応する、方法。
【請求項６】
前記第１の時間‐周波数資源及び前記第２の時間‐周波数資源はそれぞれ、前記基準信号の送信用に規定された複数の基準信号パターンのうち一つである、請求項５に記載の方法。
【請求項７】
前記第１のサブフレーム及び前記第２のサブフレームはそれぞれ、二つのスロット、すなわちスロット０及びスロット１から成り、前記二つのスロットはそれぞれ、７個の直交周波数分割多重化（ＯＦＤＭ）シンボル、すなわちＯＦＤＭシンボル０〜６を含み、
前記第１の時間‐周波数資源は前記第１のサブフレームの二つのＯＦＤＭシンボル内にあり、
前記二つのＯＦＤＭシンボルは、前記スロット０のＯＦＤＭシンボル０，１，２及び４、並びに前記スロット１のＯＦＤＭシンボル０，１及び４以外である、請求項５に記載の方法。
【請求項８】
前記第１のサブフレーム情報は、前記第１の時間‐周波数資源用の第１のサブフレームオフセットを含み、前記第２のサブフレーム情報は、前記第２の時間‐周波数資源用の第２のサブフレームオフセットを含む、請求項５〜７のいずれか一項に記載の方法。
【請求項９】
前記第１の時間‐周波数資源上で受信された前記基準信号に基づいて前記チャンネル測定を行うステップを更に有する、請求項５から７のいずれか１項に記載の方法。
【請求項１０】
少なくとも一つのユーザ機器にチャンネル測定用基準信号を送信する基地局であって、
プロセッサユニットと、
前記プロセッサユニットに電気的に接続され、該プロセッサユニットによって制御される、無線周波ユニットであって、前記基準信号を搬送する第１の時間‐周波数資源を示す第１の情報と、どのサブフレームが前記第１の時間‐周波数資源を含むかを示すための第１のサブフレーム期間Ｐ１を含む第１のサブフレーム情報と、ナリングされる第２の時間‐周波数資源を示す第２の情報と、どのサブフレームが前記第２の時間‐周波数資源を含むかを示すための第２のサブフレーム期間Ｐ２を含む第２のサブフレーム情報とを送信し、前記第１の情報及び前記第１のサブフレーム情報に基づいて、以降第１のサブフレームと呼ぶ、前記第１のサブフレーム期間Ｐ１に対応するサブフレームにおいて、前記第１の時間‐周波数資源上でＰ１サブフレームの周期で前記基準信号を送信し、前記第２の情報及び前記第２のサブフレーム情報に基づいて、以降第２のサブフレームと呼ぶ、前記第２のサブフレーム期間Ｐ２に対応するサブフレームにおいて、Ｐ２サブフレームの周期で前記第２の時間‐周波数資源をナリングするように構成された無線周波ユニットと、を備え、
前記第１のサブフレーム期間及び前記第２のサブフレーム期間はそれぞれ、複数のサブフレームに対応する、基地局。
【請求項１１】
前記第１の時間‐周波数資源及び前記第２の時間‐周波数資源はそれぞれ、前記基準信号の送信用に規定された複数の基準信号パターンのうち一つである、請求項１０に記載の基地局。
【請求項１２】
前記第１のサブフレーム及び前記第２のサブフレームはそれぞれ、二つのスロット、すなわちスロット０及びスロット１から成り、前記二つのスロットはそれぞれ、７個の直交周波数分割多重化（ＯＦＤＭ）シンボル、すなわちＯＦＤＭシンボル０〜６を含み、
前記第１の時間‐周波数資源は前記第１のサブフレームの二つのＯＦＤＭシンボル内にあり、
前記二つのＯＦＤＭシンボルは、前記スロット０のＯＦＤＭシンボル０，１，２及び４、並びに前記スロット１のＯＦＤＭシンボル０，１及び４以外である、請求項１０に記載の基地局。
【請求項１３】
前記第１のサブフレーム情報は、前記第１の時間‐周波数資源用の第１のサブフレームオフセットを含み、前記第２のサブフレーム情報は、前記第２の時間‐周波数資源用の第２のサブフレームオフセットを含む、請求項１０〜１２のいずれか一項に記載の基地局。
【請求項１４】
基地局からチャンネル測定用基準信号を受信するユーザ機器であって、
プロセッサユニットと、
前記プロセッサユニットに電気的に接続され、該プロセッサユニットによって制御される、無線周波ユニットであって、前記基準信号を搬送する第１の時間‐周波数資源を示す第１の情報と、どのサブフレームが前記第１の時間‐周波数資源を含むかを示すための第１のサブフレーム期間Ｐ１を含む第１のサブフレーム情報と、ナリングされる第２の時間‐周波数資源を示す第２の情報と、どのサブフレームが前記第２の時間‐周波数資源を含むかを示すための第２のサブフレーム期間Ｐ２を含む第２のサブフレーム情報とを受信し、前記第１の情報及び前記第１のサブフレーム情報に基づいて、以降第１のサブフレームと呼ぶ、前記第１のサブフレーム期間Ｐ１に対応するサブフレームにおいて、前記第１の時間‐周波数資源上でＰ１サブフレームの周期で前記基準信号を受信するように構成された無線周波ユニットと、を備え、
前記第２の情報及び前記第２のサブフレーム情報に基づいて、以降第２のサブフレームと呼ぶ、前記第２のサブフレーム期間Ｐ２に対応するサブフレームにおいて、Ｐ２サブフレームの周期で前記第２の時間‐周波数資源はナリングされると仮定し、
前記第１のサブフレーム期間及び前記第２のサブフレーム期間はそれぞれ、複数のサブフレームに対応する、ユーザ機器。
【請求項１５】
前記第１の時間‐周波数資源及び前記第２の時間‐周波数資源はそれぞれ、前記基準信号の送信用に規定された複数の基準信号パターンのうち一つである、請求項１４に記載のユーザ機器。
【請求項１６】
前記第１のサブフレーム及び前記第２のサブフレームはそれぞれ、二つのスロット、すなわちスロット０及びスロット１から成り、前記二つのスロットはそれぞれ、７個の直交周波数分割多重化（ＯＦＤＭ）シンボル、すなわちＯＦＤＭシンボル０〜６を含み、
前記第１の時間‐周波数資源は前記第１のサブフレームの二つのＯＦＤＭシンボル内にあり、
前記二つのＯＦＤＭシンボルは、前記スロット０のＯＦＤＭシンボル０，１，２及び４、並びに前記スロット１のＯＦＤＭシンボル０，１及び４以外である、請求項１４に記載のユーザ機器。
【請求項１７】
前記第１のサブフレーム情報は、前記第１の時間‐周波数資源用の第１のサブフレームオフセットを含み、前記第２のサブフレーム情報は、前記第２の時間‐周波数資源用の第２のサブフレームオフセットを含む、請求項１４〜１６のいずれか一項に記載のユーザ機器。
【請求項１８】
基地局の計算機によって実行されたとき、該基地局が、
前記基準信号を搬送する第１の時間‐周波数資源を示す第１の情報と、どのサブフレームが前記第１の時間‐周波数資源を含むかを示すための第１のサブフレーム期間Ｐ１を含む第１のサブフレーム情報と、ナリングされる第２の時間‐周波数資源を示す第２の情報と、どのサブフレームが前記第２の時間‐周波数資源を含むかを示すための第２のサブフレーム期間Ｐ２を含む第２のサブフレーム情報とを送信するステップ、及び
前記第１の情報及び前記第１のサブフレーム情報に基づいて、以降第１のサブフレームと呼ぶ、前記第１のサブフレーム期間Ｐ１に対応するサブフレームにおいて、前記第１の時間‐周波数資源上でＰ１サブフレームの周期で前記基準信号を送信し、前記第２の情報及び前記第２のサブフレーム情報に基づいて、以降第２のサブフレームと呼ぶ、前記第２のサブフレーム期間Ｐ２に対応するサブフレームにおいて、Ｐ２サブフレームの周期で前記第２の時間‐周波数資源をナリングするステップを実行するようにプログラムされ、
前記第１のサブフレーム期間及び前記第２のサブフレーム期間はそれぞれ、複数のサブフレームに対応する、プログラム。
【請求項１９】
前記第１の時間‐周波数資源及び前記第２の時間‐周波数資源はそれぞれ、前記基準信号の送信用に規定された複数の基準信号パターンのうち一つである、請求項１８に記載のプログラム。
【請求項２０】
前記第１のサブフレーム及び前記第２のサブフレームはそれぞれ、二つのスロット、すなわちスロット０及びスロット１から成り、前記二つのスロットはそれぞれ、７個の直交周波数分割多重化（ＯＦＤＭ）シンボル、すなわちＯＦＤＭシンボル０〜６を含み、
前記第１の時間‐周波数資源は前記第１のサブフレームの二つのＯＦＤＭシンボル内にあり、
前記二つのＯＦＤＭシンボルは、前記スロット０のＯＦＤＭシンボル０，１，２及び４、並びに前記スロット１のＯＦＤＭシンボル０，１及び４以外である、請求項１８に記載のプログラム。
【請求項２１】
前記第１のサブフレーム情報は、前記第１の時間‐周波数資源用の第１のサブフレームオフセットを含み、前記第２のサブフレーム情報は、前記第２の時間‐周波数資源用の第２のサブフレームオフセットを含む、請求項１８〜２０のいずれか一項に記載のプログラム。
【請求項２２】
ユーザ機器の計算機によって実行されたとき、該ユーザ機器が、
前記基準信号を搬送する第１の時間‐周波数資源を示す第１の情報と、どのサブフレームが前記第１の時間‐周波数資源を含むかを示すための第１のサブフレーム期間Ｐ１を含む第１のサブフレーム情報と、ナリングされる第２の時間‐周波数資源を示す第２の情報と、どのサブフレームが前記第２の時間‐周波数資源を含むかを示すための第２のサブフレーム期間Ｐ２を含む第２のサブフレーム情報とを受信するステップ、及び
前記第１の情報及び前記第１のサブフレーム情報に基づいて、以降第１のサブフレームと呼ぶ、前記第１のサブフレーム期間Ｐ１に対応するサブフレームにおいて、前記第１の時間‐周波数資源上でＰ１サブフレームの周期で前記基準信号を受信し、前記第２の情報及び前記第２のサブフレーム情報に基づいて、以降第２のサブフレームと呼ぶ、前記第２のサブフレーム期間Ｐ２に対応するサブフレームにおいて、Ｐ２サブフレームの周期で前記第２の時間‐周波数資源はナリングされると仮定するステップを実行するようにプログラムされ、
前記第１のサブフレーム期間及び前記第２のサブフレーム期間はそれぞれ、複数のサブフレームに対応する、プログラム。
【請求項２３】
前記第１の時間‐周波数資源及び前記第２の時間‐周波数資源はそれぞれ、前記基準信号の送信用に規定された複数の基準信号パターンのうち一つである、請求項２２に記載のプログラム。
【請求項２４】
前記第１のサブフレーム及び前記第２のサブフレームはそれぞれ、二つのスロット、すなわちスロット０及びスロット１から成り、前記二つのスロットはそれぞれ、７個の直交周波数分割多重化（ＯＦＤＭ）シンボル、すなわちＯＦＤＭシンボル０〜６を含み、
前記第１の時間‐周波数資源は前記第１のサブフレームの二つのＯＦＤＭシンボル内にあり、
前記二つのＯＦＤＭシンボルは、前記スロット０のＯＦＤＭシンボル０，１，２及び４、並びに前記スロット１のＯＦＤＭシンボル０，１及び４以外である、請求項２２に記載のプログラム。
【請求項２５】
前記第１のサブフレーム情報は、前記第１の時間‐周波数資源用の第１のサブフレームオフセットを含み、前記第２のサブフレーム情報は、前記第２の時間‐周波数資源用の第２のサブフレームオフセットを含む、請求項２２〜２４のいずれか一項に記載のプログラム。
【発明の詳細な説明】
【技術分野】
【０００１】
本発明は、多重アンテナ（ＭＩＭＯ）通信システムにおいて、既存のシステムにアンテナが追加された環境で効率的に基準信号（ＲＳ）を提供するための方法に関するものである。
【背景技術】
【０００２】
長期進化システム（ＬＴＥ）の物理構造
【０００３】
第３世代パートナシッププロジェクト（３ＧＰＰ）は、周波数分割二重通信（ＦＤＤ）に適用可能なタイプ―１の無線フレーム構造と、時分割二重通信（ＴＤＤ）に適用可能なタイプ―２の無線フレーム構造とをサポートする。
【０００４】
図１は、タイプ―１の無線フレームの構造を示す。タイプ―１の無線フレームは１０個のサブフレームで構成され、１個のサブフレームは２個のスロットで構成される。
【０００５】
図２は、タイプ―２の無線フレームの構造を示す。タイプ―２の無線フレームは２個のハーフフレームを含み、各ハーフフレームは、５個のサブフレーム、ダウンリンクパイロットタイムスロット（ＤｗＰＴＳ）、ガード期間（ＧＰ）及びアップリンクパイロットタイムスロット（ＵｐＰＴＳ）を有する。各サブフレームは２個のスロットで構成される。ＤｗＰＴＳは、ユーザ機器（ＵＥ）において、初期セルの探索、同期又はチャンネル推定に使用される。ＵｐＰＴＳは、基地局（ＢＳ）においてチャンネル推定に使用されるとともに、ＵＥにおいてアップリンク送信同期を合わせるために使用される。ＧＰは、アップリンクとダウンリンクとの間で、ダウンリンク信号の多重経路遅延によってアップリンクで生じる干渉を除去するための期間である。無線フレームのタイプとは関係なく、１個のサブフレームは２個のスロットで構成される。
【０００６】
図３は、ＬＴＥダウンリンクのスロット構造を示す。図３を参照すると、各ダウンリンクスロットで伝送される信号は、ＮＤＬＲＢＮＲＢｓｃ個の副搬送波及びＮＤＬｓｙｍｂ個の直交周波数分割多重（ＯＦＤＭ）シンボルで構成される資源格子によって説明される。ここで、ＮＤＬＲＢは、ダウンリンク資源ブロック（ＲＢ）の個数を示し、ＮＲＢｓｃは、一つのＲＢを構成する副搬送波の個数を示し、ＮＤＬｓｙｍｂは、一つのダウンリンクスロット内のＯＦＤＭシンボルの個数を示す。
【０００７】
図４は、ＬＴＥアップリンクスロット構造を示す。図４を参照すると、各スロットで送信される信号は、ＮＵＬＲＢＮＲＢｓｃ個の副搬送波及びＮＵＬｓｙｍｂ個の単一搬送波周波数分割多元接続（ＳＣ―ＦＤＭＡ）シンボルで構成される資源格子によって説明される。ここで、ＮＵＬＲＢは、アップリンクＲＢの個数を示し、ＮＲＢｓｃは、一つのＲＢを構成する副搬送波の個数を示し、ＮＵＬｓｙｍｂは、一つのアップリンクスロット内のＳＣ―ＦＤＭＡシンボルの個数を示す。
【０００８】
資源要素は、アップリンクスロット及びダウンリンクスロット内でインデックス（ａ，ｂ）によって定義される資源単位であって、１個の副搬送波×１個のＯＦＤＭシンボル又はＳＣ―ＦＤＭＡシンボルを占有する。ここで、ａは周波数軸上のインデクスで、ｂは時間軸上のインデクスである。
【０００９】
図５は、ダウンリンクサブフレームの構造の一例を示す図である。図５を参照すると、一つのサブフレーム内で１番目のスロットの前部分に位置した３個のＯＦＤＭシンボルは、制御チャンネルに割り当てられた制御領域を形成する。そして、残りのＯＦＤＭシンボルは、物理ダウンリンク共有チャンネル（ＰＤＳＣＨ）に割り当てられたデータ領域を形成する。３ＧＰＰ  ＬＴＥで使用されるダウンリンク制御チャンネルの例としては、物理制御形式指示子チャンネル（ＰＣＦＩＣＨ）、物理ダウンリンク制御チャンネル（ＰＤＣＣＨ）及び物理ＨＡＲＱ指示子チャンネル（ＰＨＩＣＨ）などがある。
【００１０】
ＰＣＦＩＣＨは、サブフレームの１番目のＯＦＤＭシンボルで送信され、サブフレーム内で制御チャンネルの送信に使用されるＯＦＤＭシンボルの個数と関連した情報を搬送する。ＰＨＩＣＨは、アップリンク送信に対する応答として、ＨＡＲＱ肯定応答（ＡＣＫ）／否定応答（ＮＡＣＫ）信号を配信する。ＰＤＣＣＨを介して伝送される制御情報は、ダウンリンク制御情報（ＤＣＩ）と呼ばれ、ＤＣＩは、アップリンク若しくはダウンリンクスケジューリング情報又は任意のユーザーグループのためのアップリンク送信電力制御命令に関する情報を含む。ＰＤＣＣＨは、伝送形式情報、ダウンリンク共有チャンネル（ＤＬ―ＳＣＨ）の資源割当て情報、アップリンク共有チャンネル（ＵＬ―ＳＣＨ）の資源割当て情報、ページングチャンネル（ＰＣＨ）上のページング情報、ＤＬ―ＳＣＨ上のシステム情報、ＰＤＳＣＨ上のランダムアクセス応答、のような上位レイヤ制御メッセージの資源割当て、ＵＥグループ内の個々のＵＥに対する送信電力制御命令の集合、ＩＰ電話（ＶｏＩＰ）の活性化情報などを搬送することができる。複数のＰＤＣＣＨを制御領域内で送信してもよい。ＵＥは、複数のＰＤＣＣＨをモニタリングすることができる。ＰＤＣＣＨは、一つ又は複数の連続する制御チャンネル要素（ＣＣＥｓ）の集合によって送信される。ＣＣＥは、無線チャンネルの状態に基づいてＰＤＣＣＨに符号化率を提供するために使用される論理割当てユニットである。ＣＣＥは、複数の資源要素グループである。ＰＤＣＣＨの形式及びＰＤＣＣＨの使用可能なビット数は、ＣＣＥの個数と、ＣＣＥによって提供される符号化率との相関関係に応じて決定される。基地局は、ＵＥに伝送されるＤＣＩに基づいてＰＤＣＣＨ形式を決定し、巡回冗長検査（ＣＲＣ）ビットを制御情報に付加する。
【００１１】
ＣＲＣは、ＰＤＣＣＨの用法又はユーザーに固有の識別子（ＩＤ）（無線網一時識別子、ＲＮＴＩ）でマスキングされる。ＰＤＣＣＨが特定ＵＥのためのものであるとき、ＣＲＣは、ＵＥの固有のＩＤ（例えば、セル―ＲＮＴＩ、Ｃ―ＲＮＴＩ）によってマスキングされる。ＰＤＣＣＨがページングメッセージのためのものであるときは、ＣＲＣは、ページング指示子ＩＤ（例えば、ページング―ＲＮＴＩ、Ｐ―ＲＮＴＩ）によってマスキングされる。ＰＤＣＣＨがシステム情報、特にシステム情報ブロック（ＳＩＢ）を搬送するために使用されるときは、システム情報ＩＤ及びシステム情報ＲＮＴＩ（ＳＩ―ＲＮＴＩ）によって、ＣＲＣがマスキングされる。ＵＥから受信したランダムアクセスプリアンブルに対するランダムアクセス応答を示すために、ＣＲＣがランダムアクセスＲＮＴＩ（ＲＡ―ＲＮＴＩ）によってマスキングされる。
【００１２】
図６は、アップリンクサブフレームの構造を示した図である。図６に示すように、アップリンクサブフレームは、周波数領域内の制御領域及びデータ領域に分けられる。制御領域は、アップリンク制御情報を搬送するために、物理アップリンク制御チャンネル（ＰＵＣＣＨ）に割り当てられ、データ領域は、データを送信するために、物理アップリンク共有チャンネル（ＰＵＳＣＨ）に割り当てられる。単一搬送波の性質を維持するために、ＵＥは、ＰＵＣＣＨ及びＰＵＳＣＨを同時に送信しない。一対のＲＢは、サブフレーム内のＵＥ用のＰＵＣＣＨに割り当てられる。上記一対のＲＢに含まれるＲＢは、スロット境界において周波数ホッピングをし、二つのスロット内で別の副搬送波を占める。
【００１３】
多重アンテナ（ＭＩＭＯ）技術の定義
【００１４】
ＭＩＭＯは、Ｍｕｌｔｉｐｌｅ―Ｉｎｐｕｔ  Ｍｕｌｔｉｐｌｅ―Ｏｕｔｐｕｔの略語である。単一送信アンテナ及び単一受信アンテナを使用する従来方式から脱却し、ＭＩＭＯは、複数の送信アンテナ及び複数の受信アンテナを使用して、送受信データ効率を向上させる。すなわち、ＭＩＭＯは、送信器又は受信器において多重アンテナを使用して無線通信システムの容量を増大させたり、性能を改善したりする技術である。ＭＩＭＯは「多重アンテナ」とも称される。
【００１５】
多重アンテナ技術は、メッセージを受信するために単一アンテナ経路に依存するものではなく、多くのアンテナを介して受信された断片化したデータを結合してメッセージを完成する。多重アンテナ技術は、一定範囲内でデータ伝送速度を向上させたり、特定データ伝送速度におけるシステムカバレージを拡張できるため、移動体通信端末、中継器などに幅広く使用可能な次世代の移動体通信技術である。ＭＩＭＯは、データ通信の増加によって限界状況に至った移動通信の伝送容量限界を克服できる次世代の技術として関心を集めている。
【００１６】
ＭＩＭＯのシステムモデル
【００１７】
図７は、一般的な多重アンテナ（ＭＩＭＯ）通信システムの構成図である。図７に示すように、送信アンテナの数をＮT個に、受信アンテナの数をＮR個に同時に増加させると、送信器及び受信器の一方だけで複数のアンテナを使用する場合に比べて、アンテナの数に比例して理論的なチャンネル伝送容量が増加する。したがって、伝送速度及び周波数効率を画期的に向上させることができる。チャンネル伝送容量の増加によって伝送速度を増加させることができ、理論的には、単一アンテナを用いる場合の最大伝送速度Ｒｏに伝送速度増加率Ｒｉが乗算された分だけ増加する。
【００１８】
（式１）
【数１】
0005809062.tif 000002
【００１９】
例えば、４個の送信アンテナ及び４個の受信アンテナを用いるＭＩＭＯ通信システムは、単一アンテナシステムに比べて、理論的に４倍の伝送速度を得ることができる。このような多重アンテナシステムの理論的な容量増加が９０年代中盤に証明されて以来、実質的にデータ伝送速度を向上させるために多様な技術が現在まで活発に研究されており、これらのうちいくつかの技術は、既に３世代移動体通信、次世代の無線ＬＡＮなどの多様な無線通信の標準に反映されている。
【００２０】
多重アンテナの研究動向を見ると、多様なチャンネル環境及び多元接続環境での多重アンテナ通信容量計算などと関連した情報理論の研究、多重アンテナシステムの無線チャンネル測定及びモデル導出の研究、そして、伝送信頼度向上及び伝送速度向上のための時空間信号処理技術の研究など、多様な観点から活発な研究が進行中である。
【００２１】
多重アンテナシステムにおける通信方法をより具体的な方法で説明するために、次に示す数学的モデルを用いることができる。図７に示すように、ＮT個の送信アンテナ及びＮR個の受信アンテナが存在すると仮定する。まず、送信信号を見ると、ＮT個の送信アンテナがある場合、送信可能な情報は最大ＮT個であるので、送信情報を下記の式２のようなベクトルとして示すことができる。
【００２２】
【数２】
0005809062.tif 000003
（式２）
【数３】
0005809062.tif 000004
【００２３】
一方、送信電力は、それぞれの送信情報ｓ１，ｓ２，…，ｓＮＴにおいて異なるように適用される。送信情報の送信電力レベルをＰ１，Ｐ２，…，ＰＮＴとすると、送信電力が調整された送信情報ｈａｔ−ｓは、下記の式３のように与えられる。なお、添字ＮＴ（ＮＲ）は文中ではＮＴ（ＮＲ）と記す。
【００２４】
（式３）
【数４】
0005809062.tif 000005
【００２５】
ｈａｔ−ｓは、送信電力の対角行列Ｐを用いて表現することもできる。
【００２６】
（式４）
【数５】
0005809062.tif 000006
【００２７】
一方、送信電力が調整された情報ベクトルｈａｔ−ｓに加重値行列Ｗが適用され、実際に送信されるＮT個の送信信号ｘ１，ｘ２，…，ｘＮＴが構成される。ここで、加重値行列は、送信情報を伝送チャンネル状況などに応じて送信アンテナに適宜分配する役割をする。このような送信信号ｘ１，ｘ２，…，ｘＮＴは、次のように決定されるベクトルＸとして表現することができる。
【００２８】
（式５）
【数６】
0005809062.tif 000007
【００２９】
Ｗｉｊは、ｉ番目のＴｘアンテナを介して送信されるｊ番目の情報に対する加重値を意味する。Ｗは、プリコーディング行列とも呼ばれる。
【００３０】
ＮR個の受信アンテナがある場合、このＮR個のアンテナで受信された信号ｙ１，ｙ２，…，ｙＮＲは、次のように表現することができる。
【００３１】
（式６）
【数７】
0005809062.tif 000008
【００３２】
チャンネルが多重アンテナ通信システムにおいてモデル化される場合、チャンネルは、Ｔｘ及びＲｘアンテナのインデクスによって区別され、ｊ番目のＴｘアンテナとｉ番目のＲｘアンテナとの間のチャンネルはｈｉｊと表示される。ここで、ｈｉｊにおいて、インデクスの順序は、Ｒｘアンテナのインデクスが先で、Ｔｘアンテナのインデクスが後であることに留意されたい。
【００３３】
このようなチャンネルは、グループ化してベクトル及び行列形態で表示することも可能である。ベクトル表示の例を説明すると、次に示すとおりである。
【００３４】
図８は、ＮT個のＴｘアンテナからｉ番目のＲｘアンテナへのチャンネルを示した図である。
【００３５】
図８を参照すると、合計ＮT個のＴｘアンテナからｉ番目のＲｘアンテナへのチャンネルは、式７のように表現することができる。
【００３６】
（式７）
【数８】
0005809062.tif 000009
【００３７】
また、ＮT個のＴｘアンテナからＮR個のＲｘアンテナへのすべてのチャンネルは、次のような行列として表現することができる。
【００３８】
（式８）
【数９】
0005809062.tif 000010
【００３９】
実際のチャンネルは、上記のチャンネル行列Ｈを経た後、これに加法性白色ガウス雑音（ＡＷＧＮ）が加えられる。ＮR個のＲｘアンテナに加えられる加法性白色ガウス雑音ｎ１，ｎ２，…，ｎＮＲをベクトルとして表現すると、次に示すとおりである。
【００４０】
（式９）
【数１０】
0005809062.tif 000011
【００４１】
上記のとおりモデル化された式を用いて求めた受信信号は、下記の式１０に示すとおりである。
【００４２】
（式１０）
【数１１】
0005809062.tif 000012
【００４３】
一方、チャンネル状況を示すチャンネル行列Ｈの行及び列の数は、Ｔｘアンテナ及びＲｘアンテナの個数に応じて決定される。チャンネル行列において、行の数はＲｘアンテナの個数ＮRと同一であって、列の数はＴｘアンテナの個数ＮTと同一である。すなわち、チャンネル行列Ｈは、ＮR×ＮT行列として表示される。一般に、行列のランクは、互いに独立な行の数及び列の数のうち、より小さい数によって定義される。そのため、行列のランクは、行列の行の数又は列の数よりも大きい値を有することができない。例えば、チャンネル行列Ｈのランク、ランク（Ｈ）は、次のように制約される。
【００４４】
（式１１）
【数１２】
0005809062.tif 000013
【００４５】
基準信号（ＲＳ）
【００４６】
移動体通信システムにおいては、パケットは無線チャンネルを介して伝送される。無線チャンネルの特性によって、伝送過程でパケットにひずみが発生することがある。信号を正しく受信するためには、受信器はチャンネルの情報を用いて受信された信号のひずみを補正することが望ましい。一般に受信器がチャンネルの情報を取得するために、送信器が送信器及び受信器がいずれも知っている信号を送信し、受信器は、その信号が無線チャンネルを介して受信されたときのひずみに基づいてチャンネルの情報を知る。送信器及び受信器がいずれも知っている信号を、パイロット信号又は基準信号（ＲＳ）という。
【００４７】
ＲＳは、目的によって下記の表１のように４つのタイプ、すなわち、チャンネル品質指示子―共通基準信号（ＣＱＩ―ＣＲＳ）、復調―共通基準信号（ＤＭ―ＣＲＳ）、プリコーディングされていない復調―専用基準信号（ＮＤＭ―ＤＲＳ）、プリコーディングされた復調―専用基準信号（ＰＤＭ―ＤＲＳ）に区分される。
【００４８】
【表１】
0005809062.tif 000014
【００４９】
多重アンテナを介してデータを送受信する場合、ＴｘアンテナとＲｘアンテナとの間のチャンネル状況を知っていることが、信号を正しく受信するために必要である。したがって、Ｔｘアンテナ別にＲＳが存在することが望ましい。
【００５０】
図９は、３ＧＰＰ  ＬＴＥで正規循環プレフィクス（ｎｏｒｍａｌ  ＣＰ）のＲＳ割当て構造を示した図で、図１０は、３ＧＰＰ  ＬＴＥで拡張循環プレフィクス（ｅｘｔｅｎｄｅｄ  ＣＰ）のＲＳ割当て構造を示した図である。現在の３ＧＰＰ  ＬＴＥダウンリンクＲＳ割当て構造は、図９及び図１０に示すとおりである。
【００５１】
図９及び図１０を参照すると、資源ブロックにおいて、横軸は時間軸を意味し、縦軸は周波数軸を意味する。一つのサブフレームは２個のスロットを含む。図９に示すように正規ＣＰが使用された場合、各スロットは７個のＯＦＤＭシンボルを有する。そして、図１０に示すように拡張ＣＰが使用された場合、各スロットは６個のＯＦＤＭシンボルを含む。一般に、拡張ＣＰは、遅延の長い環境で使用される。図９及び図１０に示すＲＳ割当て構造は、基地局における４個の送信アンテナ用である。１番目から４番目のアンテナポートであるアンテナポート０〜アンテナポート３のためのＣＲＳは、参照符号０、１、２、３でそれぞれ示される。ＤＲＳはＤで示される。
【００５２】
図９及び図１０に示すように、セルの別個のアンテナポートを互いに区別するために、一つのアンテナポートがＲＥでＲＳを送信すると、他のアンテナポートはそのＲＥでは何らの信号も送信しない。チャンネル推定はＲＳを用いて行われるため、このような方式はアンテナポート間の干渉を最小化する。セル固有のＲＳが使用される場合、一つのシンボルにおけるＲＳ間の副搬送波間隔は６であり、その結果、セル固有周波数偏移値は０〜５である。セル間でＲＳ位置が同一になることを防止するために、各セルは、セル固有周波数偏移値を使用してＲＳ位置を決定する。これは、他のセルから送信されるＲＳによる干渉をランダム化することによって、チャンネル推定の性能を向上させるためである。
【００５３】
図９及び図１０に示したＲＳ割当て構造において、ＲＳは、下記の式１２〜１５で説明された規則に従ってＲＢに写像（ｍａｐｐｉｎｇ）される。特に、下記の式１２及び式１３はＣＲＳがＲＢに写像される規則を示し、下記の式１４及び式１５はＤＲＳがＲＢに写像される規則を示す。
【００５４】
（式１２）
【数１３】
0005809062.tif 000015
【００５５】
（式１３）
【数１４】
0005809062.tif 000016
【００５６】
（式１４）
【数１５】
0005809062.tif 000017
【００５７】
（式１５）
【数１６】
0005809062.tif 000018
【００５８】
上記の式において、νｓｈｉｆｔは周波数偏移値を示し、ｋは副搬送波インデクスを示し、ｐはアンテナポートインデクスを示し、ＮＤＬＲＢはダウンリンクに割り当てられたＲＢの個数を示し、ｎｓはスロットインデクスを示し、ＮｃｅｌｌＩＤはセルＩＤを示す。
【００５９】
式１３及び式１５によると、セルのＲＳは、セルに固有の周波数偏移値であるνｓｈｉｆｔだけ周波数軸に沿って偏移される。
【００６０】
ＣｏＭＰシステム
【００６１】
一般に、セル間干渉（ＩＣＩ）は、セルの縁部にあるＵＥの性能を劣化させることが知られている。このような性能劣化を最小化するために、ＬＴＥでは、ＵＥ固有の断片周波数再利用（ＦＦＲ）のような簡単なＩＣＩ緩和技術が使用されている。しかし、ＬＴＥ―Ａシステムでは、複数のＢＳ間の協調によってＩＣＩを制御して、セルの縁部にあるＵＥの性能を改善する技法が検討されている。複数のセルが協調して一つのＵＥをサポートするシステムは、ＬＴＥ―Ａ標準化過程では多地点協調（ＣｏＭＰ）と呼ばれる。ＣｏＭＰシステムでは、陰になる地域にあるＵＥとＢＳ（セル又はセクタ）との間の通信性能を向上させるために、２個以上のＢＳ又はセルが互いに協調してＵＥと通信する。
【００６２】
ＣｏＭＰシステムは、多重セル環境において高度ＭＩＭＯ伝送を適用することによって、セル境界にあるＵＥのスループットを改善することができる。ＣｏＭＰシステムは、多重セル環境におけるＩＣＩを緩和させることができ、ＵＥは、多重セルのＢＳから共同でデータのサポートを受けることができるという利点がある。さらに、ＢＳが同一の無線周波数資源において一つ以上のＵＥ（例えば、ＭＳ  １、ＭＳ  ２、…ＭＳ  Ｋ）をサポートすることによって、システムの性能が向上する。ＢＳはまた、ＢＳとＵＥとの間のチャンネル情報に基づいて空間分割多元接続（ＳＤＭＡ）で運用することもできる。
【００６３】
ＣｏＭＰ動作に参加したセル（以下、ＣｏＭＰセル）がどれだけのデータやチャンネル情報を共有するかに応じて、別個のＣｏＭＰ方式が利用できる。
【００６４】
方式１．チャンネル情報及びデータがいずれもＣｏＭＰセル間で共有される。
【００６５】
方式２．チャンネル情報だけがＣｏＭＰセル間で共有される。
【００６６】
方式３．データだけがＣｏＭＰセル間で共有される。
【００６７】
方式４．チャンネル情報もデータもＣｏＭＰセル間で共有されない。
【００６８】
方式１によると、サービングセルと隣接セルとがデータ及びチャンネル情報を共有し、セルの縁部にあるＵＥの性能を大きく改善させることができる。しかし、ＣｏＭＰセルのＵＥがフィードバックすべき情報量が非常に大きくなり、実際のシステムにおいて方式１を具現することは難しい。さらに、隣接セル間でのチャンネル情報の共有が長い遅延をもたらすことがある。
【００６９】
方式２によると、サービングセルは、隣接セルにおけるセルの縁部にあるＵＥからチャンネル情報のフィードバックを受け、閉ループを用いてＩＣＩを緩和させる。この方式は、最小限のバックホール（ｂａｃｋｈａｕｌ）オーバヘッドで利得を得られる方法として検討されているが、ＵＥのフィードバックオーバヘッドがシステムに制約を与えることがある。
【００７０】
方式３によると、開ループ伝送によってシステムの複雑度を最小化できるという利点を得ることができる。
【００７１】
方式４によると、ＩＣＩを減少させるためにサービングセルと隣接セルとが共有する特別な情報がないため、簡単なＩＣＩ緩和が可能であるが、現在のＬＴＥシステムにわずかな利点しか与えられないと予想される。
【００７２】
物理ダウンリンク制御チャンネル（ＰＤＣＣＨ）
【００７３】
ＰＤＣＣＨは、ダウンリンクデータ又はアップリンクデータに関する制御情報を搬送する。ＵＥは、ＰＤＣＣＨを監視することによって、自分宛のダウンリンクデータの有無又はＵＥのアップリンクデータ送信が許容されるかどうかを判断する。一般に、ＰＤＣＣＨはサブフレームごとに送信され、ＵＥは、一意のＩＤを用いてランダム関数を動作させることによって、ＰＤＣＣＨが自分宛のものであるかどうかを判断する。
【００７４】
ＰＤＣＣＨ上で送信される情報は、ダウンリンクデータに関する制御情報とアップリンクデータに関する制御情報とに分けられる。ダウンリンクデータに関する制御情報は、資源割当てに関する情報、変調及びコーディングに関する情報、ＨＡＲＱプロセスに関する情報、新規データ指示子（ＮＤＩ）、冗長データ（Ｒｅｄｕｎｄａｎｃｙ  Ｖｅｒｓｉｏｎ，ＲＶ）に関する情報、並びに電力制御に関する情報を含み、ＭＩＭＯをサポートする場合、プリコーディングと関連した情報を更に含む。ダウンリンクデータに関する制御情報は、動作モードに応じて別個に定義される。
【００７５】
アップリンクデータに関する制御情報は、資源割当てに関する情報、復調のためのＲＳの資源に関する情報、ＣＱＩ送信要求情報などを含み、多重アンテナをサポートする場合、プリコーディングと関連した情報を更に含む。
【００７６】
現在、高度ＬＴＥ（ＬＴＥ―Ａ）標準化会議では、ＣｏＭＰに基づいたＩＣＩ緩和によって、セルの縁部にあるＵＥの性能を更に改善できる多様な技術が検討されている。そのうち、共同処理／伝送方式によると、複数のセルが一つの物理資源ブロック（ＰＲＢ）を共有し、一つ以上のデータストリームを一つのＵＥに送信する。ＣｏＭＰセルは、ＣＲＳ及びＤＲＳ用のセル固有周波数偏移値と、別個の個数のアンテナとを有している。これは、ＣｏＭＰセルが別個のＲＳ割当てパターンを有していることを意味する。その結果、ＲＳ及びデータ双方を搬送する各ＲＥは、ＵＥに割り当てられたＰＲＢに存在する。シンボル内にＣＲＳ及びＤＲＳ双方が存在する場合、セルのνｓｈｉｆｔ値に応じてＣＲＳとＤＲＳとが重なることがある。したがって、システム性能が劣化する。
【発明の概要】
【発明が解決しようとする課題】
【００７７】
本発明が解決しようとする課題は、多地点協調（ＣｏＭＰ）動作に参加する複数のセル間の干渉を最小化しながら基準信号を送信する方法を提供することにある。
【００７８】
本発明で達成しようとする技術的課題は、以上言及した技術的課題に制限されるものではなく、言及していない他の技術的課題は、下記の記載から本発明の属する技術分野で通常の知識を有する者には明確に理解されるであろう。
【課題を解決するための手段】
【００７９】
上記の目的を達成するために、本発明は、多地点協調（ＣｏＭＰ）動作に参加する複数のセルを有するシステムにおいて、ＵＥに基準信号（ＲＳ）を送信する方法を提供する。この方法は、複数のセルにそれぞれ含まれるＢＳが、複数のセルそれぞれに位置するＵＥのために、ＲＳを含むサブフレームを生成すること、及びＢＳが生成されたサブフレームをＵＥに送信することを含む。ＲＳは、チャンネル測定用ＲＳ及びデータ復調用ＲＳを含み、複数のセルは、チャンネル測定用ＲＳの周波数偏移値に応じてグループ化され、ＲＳ割当てパターンは、所定規則に従って複数のセルのうち二つのセルのために決定される。
【００８０】
上記二つのセルは、別の二つのグループに含まれ、別の二つのグループのチャンネル測定用ＲＳの周波数偏移値でない周波数偏移値のうち一つが、二つのセルのデータ復調用ＲＳの周波数偏移値として使用される。
【００８１】
二つのセルは同一のグループに含まれ、グループのチャンネル測定用ＲＳの周波数偏移値でない各周波数偏移値のうち一つは、二つのセルのデータ復調用ＲＳの周波数偏移値として使用される。
【００８２】
このシステムがサポートするチャンネル測定用ＲＳの周波数偏移値は、３個である。
【００８３】
ＲＳ割当てパターンに関する情報は、ＰＤＣＣＨ上で、又は無線資源制御（ＲＲＣ）シグナリングによって送信される。
【００８４】
本発明のほかの態様として、多地点協調（ＣｏＭＰ）動作に参加する複数のセルを有するシステムにおいて、ＵＥに基準信号（ＲＳ）を送信する方法が提供される。この方法は、複数のセルそれぞれに含まれるＢＳが、複数のセルそれぞれに位置するＵＥのために、ＲＳを含むサブフレームを生成すること、及びＢＳが生成されたサブフレームをＵＥに送信することを含む。複数のセルのうち二つのセルは、第１のセル及び第２のセルである。第１のセルがサービングセルで、第２のセルが非サービングセルである場合、第２のセルのデータ復調用ＲＳのサブフレーム上の位置は、第１のセルのデータ復調用ＲＳの位置と同一になるように偏移される。
【００８５】
本発明のほかの態様として、多地点協調（ＣｏＭＰ）動作に参加する複数のセルを有するシステムにおいて、ＵＥに基準信号（ＲＳ）を送信する方法が提供される。この方法は、複数のセルそれぞれに含まれるＢＳが、複数のセルそれぞれに位置したＵＥのために、ＲＳを含むサブフレームを生成すること、及びＢＳが生成されたサブフレームをＵＥに送信することを含む。複数のセルのうち二つのセルは、同一時間領域のダウンリンクサブフレームで、一つ以上の資源要素（ＲＥ）を送信アンテナ用のチャンネル測定用ＲＳのために割り当て、送信アンテナ用のチャンネル測定用ＲＳに割り当てられた資源要素の位置は、同一時間領域のダウンリンクサブフレーム内の二つのセル間で互いに異なる。
【００８６】
上記二つのセルは、送信アンテナ用のチャンネル測定用ＲＳに対して、別個の周波数偏移値を有することができる。
【００８７】
二つのセルのうち一つは、該一つのセルのダウンリンクサブフレームで、他方のセルによって送信アンテナ用のチャンネル測定用ＲＳに割り当てられたＲＥと同一の位置のＲＥではデータを送信してはならない。
【００８８】
二つのセルのうち上記一つのセルは、パンクチャ又はレートマッチングによってデータを送信してはならない。
【００８９】
本発明のほかの態様として、多地点協調（ＣｏＭＰ）動作に参加する複数のセルを有するシステムにおいて、ＵＥに基準信号（ＲＳ）を送信する方法が提供される。この方法は、複数のセルそれぞれに含まれるＢＳが、複数のセルそれぞれに位置するＵＥのために、ＲＳを含むサブフレームを生成すること、及びＢＳが生成されたサブフレームをＵＥに送信することを含む。サブフレームは所定期間に送信され、複数のセルのうち二つのセルの一つは、該一つのセルのサブフレーム内に、送信アンテナ用のチャンネル測定用ＲＳに一つ以上のＲＥを割り当て、他方のセルは、該他方のセルのサブフレーム内で、上記一つのセルが送信アンテナ用のチャンネル測定用ＲＳに割り当てた資源要素と同じ位置ではデータを送信しない。
【００９０】
他方のセルは、パンクチャ又はレートマッチングによって前記データを送信してはならない。
【００９１】
本発明のほかの態様として、多地点協調（ＣｏＭＰ）動作に参加する複数のセルを有するシステムにおいて、サービングセルが該サービングセルに位置したＵＥにデータを送信する方法が提供される。この方法は、ＵＥにデータ送信情報を送信すること、及びＵＥにデータ及び基準信号（ＲＳ）を含むサブフレームを送信することを含む。データ送信情報は、ＵＥに送信されるサブフレーム内の非サービングセルの共通基準信号（ＣＲＳ）に利用可能な資源要素（ＲＥ）の位置ではＵＥにデータが送信されないことを示す。
【００９２】
データは、パンクチャ又はレートマッチングによって上記位置で伝送してはならない。
【発明の効果】
【００９３】
本発明の実施例によると、多地点協調（ＣｏＭＰ）動作に参加する複数のセルは、ＩＣＩを最小化しながらＵＥに基準信号を送信することができる。
【図面の簡単な説明】
【００９４】
【図１】タイプ―１の無線フレームの構造を示した図である。
【図２】タイプ―２の無線フレームの構造を示した図である。
【図３】３ＧＰＰ  ＬＴＥのダウンリンクスロット構造を示した図である。
【図４】ＬＴＥのアップリンクスロット構造を示した図である。
【図５】ダウンリンクサブフレームの構造を示した図である。
【図６】アップリンクサブフレームの構造を示した図である。
【図７】一般的なＭＩＭＯ通信システムの構成図である。
【図８】ＮT個の送信（Ｔｘ）アンテナからｉ番目の受信（Ｒｘ）アンテナへのチャンネルを示した図である。
【図９】第３世代パートナシッププロジェクト長期進化（３ＧＰＰ  ＬＴＥ）システムにおける、正規循環プレフィクスの場合のダウンリンクＲＳ割当て構造を示した図である。
【図１０】３ＧＰＰ  ＬＴＥにおける、拡張循環プレフィクスの場合のダウンリンクＲＳ割当て構造を示した図である。
【図１１】３ＧＰＰ  ＬＴＥシステムにおける、二つのセル用の共通基準信号（ＣＲＳ）割当てパターンを示した図である。
【図１２】本発明の一実施例に係るＣｏＭＰ動作に参加するセル用のＣＲＳ割当てパターンを示した図である。
【図１３】本発明の一実施例に係るＣｏＭＰ動作に参加するセル用のＣＲＳ割当てパターンを示した図である。
【図１４】本発明の他の実施例に係るＣｏＭＰ動作に参加するセル用のＣＲＳ割当てパターンを示した図である。
【図１５】本発明の他の実施例に係るＣｏＭＰ動作に参加するセル用のＣＲＳ割当てパターンを示した図である。
【図１６】本発明の更に他の実施例に係るＣｏＭＰ動作に参加するセル用のＣＲＳ割当てパターンを示した図である。
【図１７】本発明の更に他の実施例に係るＣｏＭＰ動作に参加するセル用のＣＲＳ割当てパターンを示した図である。
【図１８】ＣｏＭＰ動作に参加可能な二つのセルが、別個のセル固有周波数偏移値を有するが、同一の個数のアンテナをサポートする場合のサブフレーム構造を示した図である。
【図１９】ＣｏＭＰ動作に参加する二つのセルが、同一のセル固有周波数偏移値を有すると同時に、二つのセルのうち一つは４個のアンテナをサポートし、残りのセルは２個のアンテナをサポートする場合のサブフレーム構造を示した図である。
【図２０】ＣｏＭＰ動作に参加する二つのセルが、別個のセル固有周波数偏移値を有すると同時に、二つのセルのうち一つは４個のアンテナをサポートし、残りのセルは２個のアンテナをサポートする場合のサブフレーム構造を示した図である。
【図２１】本発明の一実施例に係る、正規循環プレフィクスの場合の、別個のセル固有周波数偏移値を有する二つのセル用のＣＲＳ及び専用基準信号（ＤＲＳ）割当てパターンを示した図である。
【図２２】本発明の一実施例に係る、拡張循環プレフィクスの場合の、別個のセル固有周波数偏移値を有する二つのセル用のＣＲＳ及びＤＲＳ割当てパターンを示した図である。
【図２３】本発明の一実施例に係る、グループＡ及びグループＢがＣｏＭＰセルをなしている場合の、ＣＲＳ及びＤＲＳ割当てパターンを示した図である。
【図２４】本発明の一実施例に係る、グループＡ及びグループＢがＣｏＭＰセルをなしている場合の、ＣＲＳ及びＤＲＳ割当てパターンを示した図である。
【図２５】本発明の一実施例に係る、グループＡ及びグループＢがＣｏＭＰセルをなしている場合の、ＣＲＳ及びＤＲＳ割当てパターンを示した図である。
【図２６】本発明の一実施例に係る、グループＡからのセルだけがＣｏＭＰセルをなしている場合の、ＣＲＳ及びＤＲＳ割当てパターンの一例を示した図である。
【図２７】本発明の一実施例に係る、グループＡからのセルだけがＣｏＭＰセルをなしている場合の、ＣＲＳ及びＤＲＳ割当てパターンの一例を示した図である。
【図２８】本発明の一実施例に係る、グループＢからのセルだけがＣｏＭＰセルをなしている場合の、ＣＲＳ及びＤＲＳ割当てパターンの一例を示した図である。
【図２９】本発明の一実施例に係る、グループＢからのセルだけがＣｏＭＰセルをなしている場合の、ＣＲＳ及びＤＲＳ割当てパターンの一例を示した図である。
【図３０】本発明の一実施例に係る、グループＣからのセルだけがＣｏＭＰセルをなしている場合の、ＣＲＳ及びＤＲＳ割当てパターンの一例を示した図である。
【図３１】本発明の一実施例に係る、グループＣからのセルだけがＣｏＭＰセルをなしている場合の、ＣＲＳ及びＤＲＳ割当てパターンの一例を示した図である。
【図３２】本発明の一実施例に係る、ＣｏＭＰセル用のＣＳＩ―ＲＳ及びＤＲＳ割当てパターンを示した図である。
【図３３】二つのセルがＣｏＭＰ動作を行う場合におけるＤＲＳとチャンネル状態情報基準信号（ＣＳＩ―ＲＳ）との衝突を避けるために、本発明の一実施例によってサービングセルのＤＲＳを偏移することを示した図である。
【図３４】二つのセルがＣｏＭＰ動作を行う場合におけるＤＲＳとチャンネル状態情報基準信号（ＣＳＩ―ＲＳ）との衝突を避けるために、本発明の一実施例によって非サービングセルのＤＲＳを偏移することを示した図である。
【図３５】二つのセルがＣｏＭＰ動作を行う場合におけるＤＲＳとチャンネル状態情報基準信号（ＣＳＩ―ＲＳ）との衝突を避けるために、本発明の一実施例によって非サービングセルのＤＲＳを偏移することを示した図である。
【図３６】本発明の一実施例に係る無線フレームの構造を示した図である。
【図３７】本発明の一実施例に係るサブフレームの構造を示した図である。
【図３８】本発明の一実施例に係るサブフレームの構造を示した図である。
【図３９】本発明の一実施例によって、ＣＳＩ―ＲＳ伝送用に所定個数のＲＥ位置が予め定められた場合のＣＳＩ―ＲＳ割当てパターンを示した図である。
【図４０】本発明の一実施例によって、ＣＳＩ―ＲＳ伝送用に所定個数のＲＥ位置が予め定められた場合のＣＳＩ―ＲＳ割当てパターンを示した図である。
【図４１】本発明の一実施例によって、ＣＳＩ―ＲＳ伝送用に所定個数のＲＥ位置が予め定められた場合のＣＳＩ―ＲＳ割当てパターンを示した図である。
【図４２】本発明の一実施例によって、ＣＳＩ―ＲＳ伝送用に所定個数のＲＥ位置が予め定められた場合のＣＳＩ―ＲＳ割当てパターンを示した図である。
【図４３】本発明の一実施例によって、ＣＳＩ―ＲＳ伝送用に所定個数のＲＥ位置が予め定められた場合のＣＳＩ―ＲＳ割当てパターンを示した図である。
【図４４】本発明の一実施例によって、ＣＳＩ―ＲＳ伝送用に所定個数のＲＥ位置が予め定められた場合のＣＳＩ―ＲＳ割当てパターンを示した図である。
【図４５】本発明の一実施例によって、ＣＳＩ―ＲＳ伝送用に所定個数のＲＥ位置が予め定められた場合のＣＳＩ―ＲＳ割当てパターンを示した図である。
【図４６】本発明の一実施例によって、ＣＳＩ―ＲＳ伝送用に所定個数のＲＥ位置が予め定められた場合のＣＳＩ―ＲＳ割当てパターンを示した図である。
【図４７】本発明の一実施例によって、ＣＳＩ―ＲＳ伝送用に所定個数のＲＥ位置が予め定められた場合のＣＳＩ―ＲＳ割当てパターンを示した図である。
【図４８】本発明の一実施例によって、ＣＳＩ―ＲＳ伝送用に所定個数のＲＥ位置が予め定められた場合のＣＳＩ―ＲＳ割当てパターンを示した図である。
【図４９】本発明の一実施例によって、ＣＳＩ―ＲＳ伝送用に所定個数のＲＥ位置が予め定められた場合のＣＳＩ―ＲＳ割当てパターンを示した図である。
【図５０】本発明の一実施例によって、ＣＳＩ―ＲＳ伝送用に所定個数のＲＥ位置が予め定められた場合のＣＳＩ―ＲＳ割当てパターンを示した図である。
【図５１】本発明の一実施例に係る、周波数分割多重化（ＦＤＭ）方式が適用されたＣｏＭＰ動作に参加する二つのセル用のＣＳＩ―ＲＳ割当てパターンを示した図である。
【図５２】進歩ノードＢ（ｅＮＢ）及びユーザ機器（ＵＥ）に適用可能であり、本発明の実施例に係る方法を実現できる装置のブロック図である。
【発明を実施するための形態】
【００９５】
以下、本発明に係る好適な各実施形態を添付の図面を参照して詳細に説明する。添付の図面と共に以下で開示する詳細な説明は、本発明の例示的な実施形態を説明するためのものであって、本発明が実施される唯一の実施形態を示すためのものではない。以下の詳細な説明は、本発明の完全な理解を促進するために具体的な詳細事項を含む。しかし、当業者は、本発明がこのような具体的な詳細事項がなくても実施され得ることを理解するであろう。例えば、以下の説明では一定の用語を中心に説明するが、これら用語に限定される必要はなく、任意の用語として称される場合も同一の意味を表すことができる。また、本明細書全体にわたって同一又は類似する構成要素については、同一の参照符号を使用して説明する。
【００９６】
以下で説明する技術、装置及びシステムは、符号分割多元接続（ＣＤＭＡ）、周波数分割多元接続（ＦＤＭＡ）、時分割多元接続（ＴＤＭＡ）、直交周波数分割多元接続（ＯＦＤＭＡ）、単一搬送波周波数分割多元接続（ＳＣ―ＦＤＭＡ）などの多様な無線接続技術に使用することができる。
【００９７】
ＣＤＭＡは、はん用地上無線接続（ＵＴＲＡ）又はＣＤＭＡ２０００などの無線技術に実装される。ＴＤＭＡは、世界移動体通信システム（ＧＳＭ）、一般パケット無線サービス（ＧＰＲＳ）、ＧＳＭ進化用強化データ速度（ＥＤＧＥ）などの無線技術に実装される。ＯＦＤＭＡは、ＩＥＥＥ  ８０２．１１（Ｗｉ―Ｆｉ）、ＩＥＥＥ  ８０２．１６（ＷｉＭＡＸ）、ＩＥＥＥ  ８０２．２０、Ｅ―ＵＴＲＡ（進化ＵＴＲＡ）などの無線技術に実装される。ＵＴＲＡは、はん用移動体通信システム（ＵＭＴＳ）の一部である。第３世代パートナシッププロジェクト（３ＧＰＰ）長期進化システム（ＬＴＥ）は、Ｅ―ＵＴＲＡを使用するＥ―ＵＭＴＳ（進化ＵＭＴＳ）の一部である。３ＧＰＰ  ＬＴＥは、ダウンリンクにＯＦＤＭＡを適用し、アップリンクにＳＣ―ＦＤＭＡを適用する。高度ＬＴＥ（ＬＴＥ―Ａ）は、３ＧＰＰ  ＬＴＥが発展したものである。本発明は、３ＧＰＰ  ＬＴＥとＬＴＥ―Ａの観点から説明するが、本発明の技術的特徴が３ＧＰＰ  ＬＴＥ及びＬＴＥ―Ａに限定されることはない。
【００９８】
基準信号（ＲＳ）は、大きく専用ＲＳ（ＤＲＳ）とＣＲＳ（ＣＲＳ）とに分類される。ＤＲＳは特定ＵＥに認知され、ＣＲＳはすべてのＵＥに認知される。一般に、ＤＲＳはデータ復調用に使用され、ＣＲＳはチャンネル測定用に使用される。図面において、Ｄで表示された部分はＤＲＳを意味し、参照符号０、１、２、３で表示された部分はＣＲＳを意味する。また、システムに追加されたアンテナ用のチャンネル測定用ＲＳは、チャンネル状態情報基準信号（ＣＳＩ―ＲＳ）と称することにする。
【００９９】
複数のセルが協調して一つのＵＥをサポートする方法は、次のように二つの範疇に分けることができる。第一は、無線周波（ＲＦ）搬送波周波数を共有する複数のセルが協調する方法であって、第二は、ＲＦ搬送波周波数の異なる複数のセルが協調する方法である。
【０１００】
第一の方法では、例えば、それぞれ単一アンテナを有する二つのセルが時空間ブロック符号（ＳＴＢＣ）又は空間周波数ブロック符号（ＳＦＢＣ）などの送信ダイバーシチを用いてデータを送信することによって、エラー率を減少させる。第二の方法は、例えば、ＵＥに別個の周波数帯域が別個のセルによって割り当てられることによって行われる。この方法によると、得られた広周波数帯域で、より多くのデータを送信することができる。
【０１０１】
以下では、第一の方法のように、ＲＦ搬送波周波数を共有するセルにおいて、ＩＣＩを緩和するために、ＣＲＳ及びＤＲＳ割当てパターン又はＣＳＩ―ＲＳ及びＤＲＳ割当てパターンを設計する方法を説明する。
【０１０２】
実施例１
【０１０３】
ケース１：各ＣｏＭＰセルが１個の送信（Ｔｘ）アンテナを有する場合
【０１０４】
図９は、３ＧＰＰ  ＬＴＥシステムにおける正規循環プレフィクス（ｎｏｒｍａｌ  ＣＰ）の場合のＣＲＳ割当て構造を示した図であり、図１０は、３ＧＰＰ  ＬＴＥシステムで拡張循環プレフィクス（ｅｘｔｅｎｄｅｄ  ＣＰ）の場合のＣＲＳ割当て構造を示した図である。図９及び図１０において、参照符号０、１、２及び３は、０番目、１番目、２番目及び３番目のアンテナポート用のＣＲＳを示す。
【０１０５】
ＣｏＭＰセルが単一Ｔｘアンテナを有する場合、図９及び図１０でＲＳ  ０を送信すると仮定する。このとき、ＣｏＭＰセルは、自分のＲＳ、ＲＳ  ０を別個の位置で送信する。いくつかのＣｏＭＰセルからのＲＳが同一の位置にあるとき、ＲＳは互いに干渉し、チャンネル推定を難しくする。一方、一つのＣｏＭＰセルがＲＳを送信する位置と同一の位置で他のＣｏＭＰセルがデータを送信する場合、他のＣｏＭＰセルから送信されたデータがＲＳに干渉として作用し、ＲＳのチャンネル推定性能が低下する。したがって、本発明の一実施例は、一つのＣｏＭＰセルがＲＳを送信している時間―周波数資源では、他のＣｏＭＰセルがナル（ｎｕｌｌ）データを送信することを提案する。他のセルからのデータを搬送する資源要素（ＲＥ）による干渉の影響を減少させるために、他のセルは、ＲＥをナリング（ｎｕｌｌ）することができる。ナリングは、パンクチャ又はレートマッチングなどによって該当のＲＥに何らのデータも送信しないことと均等である。このとき、セルは、他のセルからのＲＳを搬送するＲＥをナリングしたという情報をＵＥにシグナリングすることができる。閉ループ空間多重化では、送信に先立ってデータにプリコーディング行列が乗算される。一つのＣｏＭＰセルによって送信されるＲＳの位置では、他のＣｏＭＰセルがデータを送信しないので、本実施例は、単一セルがデータにプリコーディング行列を乗算して伝送することと同じ効果を有することになる。
【０１０６】
ケース２：各ＣｏＭＰセルが２個のＴｘアンテナを有する場合
【０１０７】
ＣｏＭＰセルは、図９及び図１０のＲＳ  ０及びＲＳ  １を送信する。ＣｏＭＰセルは、別個の位置でＲＳ  ０及びＲＳ  １を送信する。すなわち、４個のアンテナポート用のすべてのＲＳは、別個の位置で送信される。ケース１で言及したように、一つのＣｏＭＰセルがＲＳを送信している位置では、他のＣｏＭＰセルがデータをナリングする。閉ループ空間多重化では、送信に先立ってデータにプリコーディング行列が乗算される。一つのＣｏＭＰセルによって送信されるＲＳの位置では、他のＣｏＭＰセルがデータを送信しないので、単一セルがデータにプリコーディング行列を乗算して伝送することと同じ効果を得ることになる。
【０１０８】
ケース３：一つのセルがＲＳを送信する位置で他のセルがデータを送信する場合
【０１０９】
別個のセルが同一位置でＲＳ及びデータをそれぞれ送信することが許容される場合、ＲＳを用いるチャンネル推定性能が低下する代りに、データ伝送速度は高くなる。
【０１１０】
各ＣｏＭＰセルが単一Ｔｘアンテナを備えており、他のセルからのＲＳによって占有されるＲＥでのデータ送信が許容される場合、これは、プリコーディング行列を使用する空間多重化の観点から時空間資源にはプリコーディングが適用されないことを意味する。これは、すべてのユーザーに共通のＲＳが特定プリコーディング行列によって乗算されると、他のユーザーはそのＲＳを使用できなくなるためである。例えば、二つのセルがＣｏＭＰ動作に参加し、ランク１のプリコーディング行列
【数１７】
0005809062.tif 000019
が使用される場合、ＲＳのない時空間資源では
【数１８】
0005809062.tif 000020
が送信される一方、一つのセルからのＲＳを搬送する時空間資源では
【数１９】
0005809062.tif 000021
が送信される。ここで、ｓ1はデータ信号を示し、ＲＳ2はＲＳを示す。
【０１１１】
各ＣｏＭＰセルが２個のＴｘアンテナを備える場合、ケース１で説明したように、ＣｏＭＰセルは、別の位置でＲＳ  ０及びＲＳ  １を送信する。一つのセルの一つのアンテナポートがＲＳを送信するＲＥでは、一つのセルの他のアンテナポートは何らの信号も送信しない。一方、他のセルは、一つのセルのＲＳ送信とは関係なく、ＲＥでデータを送信するようになる。例えば、二つのセルがＣｏＭＰ動作に参加し、ランク１のプリコーディング行列
【数２０】
0005809062.tif 000022
が使用される場合、ＲＳが送信されない時空間資源では
【数２１】
0005809062.tif 000023
の信号が送信される一方、いずれかのセルからのＲＳを搬送する時空間資源では
【数２２】
0005809062.tif 000024
の信号が送信される。ここで、ｓ１はデータ信号を示し、ＲＳ2はＲＳを示す。すなわち、ＲＳが送信されるべきレイヤに対して０を有するプリコーディング行列によって乗算されたデータは、このＲＳと共に送信される。
【０１１２】
実施例２
【０１１３】
本発明の別の実施例においては、実施例１のケース２で説明したナリングという概念に基づいて、ＲＳ割当てパターンが設計される。
【０１１４】
図１１は、３ＧＰＰ  ＬＴＥシステムにおける二つのセル用のＣＲＳ割当てパターンを示した図である。図１１を参照すると、各サブフレームは、二つの連続したスロットを含む。正規循環プレフィクスの場合は、一つの物理資源ブロック（ＰＲＢ）が１４個の連続するＯＦＤＭシンボルを有し、拡張循環プレフィクスの場合は、一つの物理資源ブロックが１２個の連続するＯＦＤＭシンボルを有する。より詳細には、正規循環プレフィクスが使用されると、二つのスロットにおいてそれぞれ１番目、２番目及び５番目のシンボル（ｌ＝０、１、４）、すなわち、６個のシンボルでＣＲＳが伝送される。１番目のサブフレーム及び６番目のサブフレーム（サブフレーム０及びサブフレーム５）の１番目のスロット（スロット０）の最後の二つのシンボル（ｌ＝５及び６）では同期信号が送信される。１番目のサブフレーム（サブフレーム０）で、２番目のスロット（スロット１）の１番目から４番目のシンボル（ｌ＝０、１、２、３）は、物理ブロードキャストチャンネル（ＰＢＣＨ）のために使用される。
【０１１５】
拡張循環プレフィクスが使用される場合、上記と同様に、二つのスロットにおいてそれぞれ１番目、２番目及び４番目のシンボル（ｌ＝０、１、３）でＣＲＳが送信される。１番目及び６番目のサブフレーム（サブフレーム０及びサブフレーム５）では、１番目のスロット（スロット０）の５番目及び６番目のシンボル（ｌ＝６及び７）で同期信号が送信される。１番目のサブフレーム（サブフレーム０）では、２番目のスロット（スロット１）の１番目から４番目のシンボル（ｌ＝０、１、２、３）がＰＢＣＨのために使用される。
【０１１６】
８個までのＴｘアンテナのチャンネル測定のために、アンテナポート０〜３のためにＣＲＳがサポートされ、追加のアンテナポート、すなわち、アンテナポート４〜７用にチャンネル状態情報ＲＳ（ＣＳＩ―ＲＳ）がサポートされる。又は、ＣＳＩ―ＲＳはアンテナポート０〜７のためにサポートされる。本実施例では、効率的な資源割り当てを可能にし、性能を向上させる、利用可能なＣＳＩ―ＲＳ位置が提案される。
【０１１７】
方法１：Ｐサブフレームごとに、ＣＳＩ―ＲＳ用に一つのシンボルを使用
【０１１８】
一つのシンボルがＰサブフレームごとにＣＳＩ―ＲＳを搬送するために用いられる。すなわち、一つのシンボルがチャンネル測定のためにＰサブフレームごとに使用される。例えば、正規循環プレフィクスの場合、アンテナポート０〜アンテナポート３用のＣＲＳのために使用されないシンボル、すなわち、スロット０の４番目から７番目のシンボル（ｌ＝３、５、６）及びスロット１の３番目から７番目のシンボル（ｌ＝２、３、５、６）を含む７個のシンボルのうち一つのシンボルでＣＳＩ―ＲＳが送信される。スロット０の４番目及び７番目のシンボル（ｌ＝３及び６）並びにスロット１の３番目及び６番目のシンボル（ｌ＝２及び５）は、単一アンテナポートを介して伝送される物理ダウンリンク共有チャンネル（ＰＤＳＣＨ）の復調のために使用されることを考慮して、残りの３個のシンボル、すなわち、スロット０の６番目のシンボル（ｌ＝５）並びにスロット１の４番目及び７番目のシンボル（ｌ＝３及び６）のうち一つをＣＳＩ―ＲＳのために選択することがより望ましい。
【０１１９】
拡張循環プレフィクスの場合、上記と同様に、アンテナポート０〜アンテナポート３用のＣＲＳのために使用されない５個のシンボル、すなわち、スロット０の５番目及び６番目のシンボル（ｌ＝４及び５）並びにスロット１の３番目、５番目及び６番目のシンボル（ｌ＝２、４、５）のうち一つのシンボルがＣＳＩ―ＲＳの送信のために使用される。スロット０の５番目のシンボル（ｌ＝４）並びにスロット１の２番目及び５番目のシンボル（ｌ＝１及び４）が単一アンテナポートを介して送信されるＰＤＳＣＨの復調のために使用されることを考慮して、３個のシンボル、すなわち、スロット０の６番目のシンボル（ｌ＝５）並びにスロット１の３番目及び６番目のシンボル（ｌ＝２及び５）のうち一つのシンボルをＣＳＩ―ＲＳのために選択することがより望ましい。
【０１２０】
このとき、ＣＳＩ―ＲＳはアンテナポート４〜７に制限されず、一つのシンボルを構成する１２個のＲＥの全部又は一部がＣＳＩ―ＲＳのために使用される。しかし、正規循環プレフィクス及び拡張循環プレフィクスのいずれの場合においても、最後のシンボルは、ＰＢＣＨ、ＤＲＳ、アンテナポート０〜３用のＣＲＳ及び同期信号などのようなＬＴＥの他の機能のために使用されない唯一のシンボルである。そのため、最後のシンボルをＣＳＩ―ＲＳのために使用することによって、ＣＳＩ―ＲＳがリリース―８  ＵＥの性能に与える影響を最小化することが望ましい。
【０１２１】
図１２及び図１３は、本発明の一実施例に係るＣｏＭＰ動作に参加するセル用のＣＲＳ割当てパターンを示した図である。アンテナ０〜アンテナ３用のＣＲＳ割当てパターンがＣｏＭＰチャンネル測定に再び使用される場合、別個のＣｏＭＰセルからのＣＲＳが衝突するＲＥが存在する可能性がある。衝突とは、別個のＣｏＭＰセルから、サブフレーム内の同一のＲＥ位置で送信されたＣＲＳ同士が干渉することを意味する。したがって、二つのセル（セル０及びセル１）は、同一のＲＥに存在するＣＲＳのために、性能が低下することがある。
【０１２２】
セル間のＣＲＳ衝突を避けるために、本発明は、図１２に示すように、各セルがセル固有の位置でＣＳＩ―ＲＳを送信することを提案する。これは、ＣＳＩ―ＲＳだけではなく、ＤＲＳにも同様に適用可能である。図１２において、
【数２３】
0005809062.tif 000025
と
【数２４】
0005809062.tif 000026
は、セル０及びセル１からのＣＳＩ―ＲＳを搬送するＲＥをそれぞれ示す。セル間衝突なしにＲＥにＣＳＩ―ＲＳを割り当てる方法のうち一つは、時間ドメインで、セルごとに互いにＣＳＩ―ＲＳを分離させる方法である。例えば、図１２に示すように、セル０のＣＳＩ―ＲＳ伝送のためにスロット１の７番目のシンボル（ｌ＝６）が用いられる一方、セル１のＣＳＩ―ＲＳ伝送のためにはスロット１の４番目のシンボル（ｌ＝３）が用いられる。
【０１２３】
ＣｏＭＰ動作に参加するすべてのセルがＣＳＩ―ＲＳ衝突を避けられないとしても、各セルは、ＣＳＩ―ＲＳ衝突が最小になるようにＣＳＩ―ＲＳ割当てパターンを選択することができる。このようにして、システムの損失を最小化する効率的なＣＳＩ―ＲＳ割り当てパターンを設計することができる。
【０１２４】
アンテナポート０〜３用のＣＲＳが既に存在するとしても、アンテナポート０〜７用のＣＳＩ―ＲＳを、特にＣｏＭＰ動作のために、設計することがより望ましい。ＣｏＭＰセルは、セル固有の値（例えば、各セルのＲＳが周波数領域上で偏移され、セルのＲＳを別個の位置に位置させるセル固有周波数偏移値νｓｈｉｆｔ）によってグループ化されるため、図１２に示すように、セルグループＡ及びセルグループＢのような各セルグループは、ＣＳＩ―ＲＳ用に別のシンボルを有することができる。このとき、チャンネル環境又はＲＳオーバヘッドと関連したシステム要求に応じて、既に決定された期間Ｐ（すなわち、ＣＳＩ―ＲＳ送信期間）ごとにＣＳＩ―ＲＳを送信することが可能である。ＣＳＩ―ＲＳを搬送するシンボルのセットはセルグループごとに異なり、これに関する情報をＵＥにシグナリングしてもよい。また、ＣＳＩ―ＲＳを搬送するシンボルのセットを、セルＩＤと関連させ、特定関数によって決定してもよい。したがって、ＵＥは、セルＩＤによってＣＳＩ―ＲＳを搬送するシンボルのセットを知ることができる。
【０１２５】
一方、図１２に示したパターンで送信されたＣＳＩ―ＲＳを使用してチャンネル測定が行われると、一つのセルが特定ＲＥで送信したＣＳＩ―ＲＳは、他のセルが特定ＲＥ伝送したデータによって干渉を受けることがある。図１３に示すように、他のセルのデータからの干渉は、ＲＥでデータをナリングすることによって減少させることができる。ナリングは、パンクチャ又はレートマッチングなどによって該当のＲＥにおいて何らのデータも送信しないことを意味する。図１３において、
【数２５】
0005809062.tif 000027
はナリングされたＲＥを示す。このように、セル１は、セル０がＣＳＩ―ＲＳを送信するＲＥにおいてデータをナリングすることができる。これと同様に、セル０が、セル１がＣＳＩ―ＲＳを送信するＲＥにおいてデータをナリングすることもできる。
【０１２６】
方法２：ＰサブフレームごとにＣＳＩ―ＲＳのために二つのシンボルを使用
【０１２７】
方法１のように単一シンボルがＣＳＩ―ＲＳ送信に用いられるときは、単一シンボル内にＣＳＩ―ＲＳが非常に多く割り当てられ、単一シンボルがデータ又はＤＲＳを搬送できなくなる。したがって、本実施例は、二つのシンボルをＣＳＩ―ＲＳに割り当てることを提案する。例えば、各シンボル内で４個又は６個のＲＥがＣＳＩ―ＲＳに割り当てられるので、方法１に比べて各シンボル内でのＣＳＩ―ＲＳの密度が低くなる。
【０１２８】
したがって、正規循環プレフィクスの場合、アンテナポート０〜アンテナポート３用のＣＲＳのために使用されないシンボル、すなわち、スロット０の４番目から７番目のシンボル（ｌ＝３、５、６）及びスロット１の３番目から７番目のシンボル（ｌ＝２、３、５、６）を含む７個のシンボルのうち二つのシンボルがＣＳＩ―ＲＳ送信に使用される。スロット０の４番目及び７番目のシンボル（ｌ＝３及び６）並びにスロット１の３番目及び６番目のシンボル（ｌ＝２及び５）が、単一アンテナポートを介して送信されるＰＤＳＣＨの復調のために使用されることを考慮して、残っている３個のシンボル、すなわち、スロット０の６番目のシンボル（ｌ＝５）並びにスロット１の４番目及び７番目のシンボル（ｌ＝３及び６）のうち二つのシンボルをＣＳＩ―ＲＳのために選択することがより望ましい。
【０１２９】
上記と同様に、拡張循環プレフィクスの場合、アンテナポート０〜アンテナポート３用のＣＲＳのために使用されないシンボル、すなわち、スロット０の５番目及び６番目のシンボル（ｌ＝４及び５）並びにスロット１の３番目、５番目及び６番目のシンボル（ｌ＝２、４、５）を含む５個のシンボルのうち二つのシンボルがＣＳＩ―ＲＳ送信のために使用される。スロット０の５番目のシンボル（ｌ＝４）並びにスロット１の２番目及び５番目のシンボル（ｌ＝１及び４）が、単一アンテナポートを介して送信されるＰＤＳＣＨの復調のために使用されることを考慮して、残っている３個のシンボル、すなわち、スロット０の６番目のシンボル（ｌ＝５）並びにスロット１の３番目及び６番目のシンボル（ｌ＝２及び５）を含むシンボルのうち二つのシンボルをＣＳＩ―ＲＳのために選択することがより望ましい。又は、チャンネル遅延拡散をカバーするために、スロット当たり一つのシンボルをＣＳＩ―ＲＳのために使用してもよい。
【０１３０】
ＣｏＭＰ動作でＣＳＩ―ＲＳのために２個のシンボルが使用される場合、少なくとも一つの同一のＣＳＩ―ＲＳシンボルがセル間で同時に使用される可能性が高くなる。そのため、セル固有周波数遷移値νｓｈｉｆｔ又はこれと類似する要因を、ＣＳＩ―ＲＳ衝突を防止するために考慮してもよい。
【０１３１】
図１４及び図１５は、本発明の他の実施例に係る、ＣｏＭＰ動作に参加するセル用のＣＲＳ割当てパターンを示した図である。
【０１３２】
図１４を参照すると、各セル又はセルグループに対して、二つのＣＳＩ―ＲＳシンボルのうち一つ（スロット０のｌ＝５）が隣接セル又はセルグループのＣＳＩ―ＲＳシンボルと重なる可能性がある。隣接セル又はセルグループからの干渉を減少させるために、セル又はセルグループのセル固有周波数偏移値を変更してもよい。図１４に示すように、ＣＳＩ―ＲＳを搬送するシンボルは、データ又はＤＲＳのための余地を有する。
【０１３３】
一方、図１４に示したパターンで送信されたＣＳＩ―ＲＳを用いてチャンネル測定が行われるときは、一つのＣｏＭＰセルによって特定ＲＥで送信されたＣＳＩ―ＲＳは、他のＣｏＭＰセルによって上記特定ＲＥで送信されたデータによって干渉を受けることがある。他のＣｏＭＰセルのデータによる干渉は、図１５に示すように、特定ＲＥで他のＣｏＭＰのデータをナリングすることによって減少させることができる。図１５において、
【数２６】
0005809062.tif 000028
は、ナリングされたＲＥを示す。このように、セル０のＣＳＩ―ＲＳが送信されるＲＥにおいてセル１がデータをナリングし、同様にセル１のＣＳＩ―ＲＳが送信されるＲＥにおいてセル０がデータをナリングすることができる。
【０１３４】
方法３：Ｐサブフレームごとにアンテナポート０〜アンテナポート３用のＣＲＳを搬送する同一のシンボルでＣＳＩ―ＲＳを送信
【０１３５】
図１６及び図１７は、本発明の一実施例に係るＣｏＭＰ動作に参加するセル用のＣＲＳ割当てパターンを示した図である。
【０１３６】
復調ＤＲＳ（ＤＭ―ＤＲＳ）も時間―周波数資源で送信されるため、ＣＳＩ―ＲＳに利用可能なＲＥの個数が制約される。ＣＳＩ―ＲＳ及びＤＲＳは同一のシンボルに共存できず、ＲＳのための高い電力増強が必要でないと仮定すると、ＣＲＳを搬送するＯＦＤＭシンボルによって、追加のＣＳＩ―ＲＳを送信することができる。
【０１３７】
図１６及び図１７に示すように、ＰＤＣＣＨ領域を除いた最大４個のシンボルが追加のＣＳＩ―ＲＳのために使用され、利用可能なシンボルそれぞれに残っている８個のＲＥの全体又は一部をＣＳＩ―ＲＳのために使用することができる。
【０１３８】
ＣＲＳを搬送するＯＦＤＭシンボルだけにＣＳＩ―ＲＳが挿入されるときは、ＤＲＳ及びＣＳＩ―ＲＳは別個のＯＦＤＭシンボルに位置する。したがって、チャンネル推定を改善するためのＣＳＩ―ＲＳの電力増強がＤＲＳに影響を与えることはなく、効率的なＤＲＳ割当てパターンの設計が可能になる。
【０１３９】
実施例３
【０１４０】
以下、ＣｏＭＰセルが同じ個数のＴｘアンテナ又は別個の個数のＴｘアンテナを有する場合、ＣＲＳ及びＤＲＳ割当てパターンについて説明する。実施例３は、実施例１のケース２で説明したナリング概念を適用してＲＳパターンを設計することに関するものである。
【０１４１】
図１８は、ＣｏＭＰ動作に参加可能な二つのセルが別個のセル固有周波数偏移値を有するが、同一の個数のアンテナをサポートする場合の、二つのセル用のサブフレーム構造を示した図である。
【０１４２】
図１８を参照すると、参照符号０、１、２、３は、アンテナポート０、１、２、３用のＣＲＳをそれぞれ示し、
【数２７】
0005809062.tif 000029
は、ナリングされたＲＥを示す。ナリングは、二つの方法で実現される。ナリングする方法のうち一つは、まず、符号化されたデータをＲＥに挿入し、送信する前にパンクチャすることによって、実質的にＲＥにおいて何らの情報も送信されないようにする方法であって、他の一つは、ＲＥに何らのデータも挿入されないようにデータをレートマッチングする方法である。
【０１４３】
ＬＴＥシステムにおいては、ＲＳは、セル固有周波数偏移値νｓｈｉｆｔに応じてＲＥに割り当てられる。ＵＥがＣｏＭＰセルのセルＩＤを知っていると仮定したとき、ＵＥは、ＣｏＭＰセルで使用可能なＲＥ及びＣｏＭＰセルのＲＳ割当てパターンも見付けることができ、その結果、チャンネル測定及び復調を行うことができる。しかし、図１８に示すように、別個のセルＩＤを有する２個のセルがＣｏＭＰ動作に参加することもあるため、セル間でデータとＣＲＳとが衝突することもある。
【０１４４】
例えば、二つのＣｏＭＰセルのうち一つのセルであるセル１がサイレンシング（ｓｉｌｅｎｃｅ）されると、ＵＥは、セル２によって送信されたデータを復調することが望ましいため、セル１は、セル２に割り当てられたＲＢ内のセル２のＣＲＳを搬送するＲＥにおいてデータをナリングする。セル１がサイレンシングされないときも、ＵＥに送信されるＲＢのうちＵＥに接続されたアンカセルによって使用されていないＲＥ及びセル２のＣＲＳが送信されているＲＥにおいて、セル１はデータを送信することができない。サイレンシングは、所定時間―周波数領域において、ＣｏＭＰセルがセルとして動作するために必要な情報及び信号の他にはデータを送信しない技法をいう。
【０１４５】
上述の説明では、基本的にＣｏＭＰセルが同じ個数のＴｘアンテナを有していると仮定したが、場合によって、別個の個数のＴｘアンテナを有するＣｏＭＰセルも具現可能である。説明の便宜上、セル１は４個のＴｘアンテナをサポートし、セル２は２個のＴｘアンテナをサポートすると仮定する。
【０１４６】
図１９は、ＣｏＭＰ動作に参加する二つのセル、セル１及びセル２が同一のセル固有周波数偏移値νｓｈｉｆｔを有すると同時に、セル１が４個のアンテナをサポートし、セル２が２個のアンテナをサポートする場合の、二つのセル用のサブフレームの構造を示した図である。送信されるＲＳの個数は、サポートされるＴｘアンテナの個数によって変わる。そのため、セル１からアンテナポート２及びアンテナポート３のために所定ＲＥにおいて送信されたＲＳは、セル２から上記所定ＲＥにおいて送信されたデータと衝突する。したがって、セル２は、ＲＳとデータとの衝突を避けるために、所定ＲＥにおいてデータをナリングすることが望ましい。
【０１４７】
図２０は、ＣｏＭＰ動作に参加する二つのセル、セル１及びセル２が異なるセル固有周波数偏移値νｓｈｉｆｔを有すると同時に、セル１が４個のアンテナをサポートし、セル２が２個のアンテナをサポートする場合の、二つのセル用のサブフレームの構造を示した図である。送信されるＲＳの個数は、サポートされるＴｘアンテナの個数及びセル固有周波数偏移値νｓｈｉｆｔによって変わる。そのため、一つのセルから所定ＲＥにおいて送信されるＲＳは、他のセルから上記所定ＲＥにおいて送信されるデータと衝突する。したがって、ＲＳとデータの衝突を避けるために、セル１及びセル２はそれぞれ、相手のセルのＲＳを搬送するＲＥにおいてデータをナリングすることが望ましい。
【０１４８】
ＣｏＭＰ動作に参加可能な各セルのセット内の一つのセルが、他のセルからのデータを搬送するＲＥと同じＲＥにおいてＣＲＳを送信する場合、上記データは、次のような方法によってＲＥにおいてナリングされる。
【０１４９】
Ａ）ＣｏＭＰ動作に参加可能なセルのＴｘアンテナの個数が異なる場合、アンカセルに関しては、セルは、他のセルからのＣＲＳを搬送するＲＥにおいてデータをナリングしてもよい。
【０１５０】
Ｂ）セルが、当該時点でＣｏＭＰ方式によってデータを送信できる伝送方式によるＣｏＭＰ動作に参加可能なセルに指定されているときでも、セルは、実際にはデータを送信してはならない。
【０１５１】
本発明では、ＣｏＭＰ伝送方式に従って、ＣｏＭＰセルがアンカセルによってナリングされるべきＲＥをナリングしてもよいし、又は、進化ノードＢ（ｅＮＢ）から追加シグナリングを受信することによって、ＲＥをナリングしなくてもよい。
【０１５２】
ＣｏＭＰセルが他のＣｏＭＰセルからのＲＳ搬送するＲＥにおいてデータをナリングしなければならない場合、データナリングを、上位レイヤからのシグナリング又はＰＤＣＣＨ上でのシグナリングによってＵＥに指示してもよい。
【０１５３】
図２１は、本発明の一実施例に係る、正規循環プレフィクスの場合の、別個のセル固有周波数偏移値を有する二つのセル、セル１及びセル２用のＣＲＳ及びＤＲＳ割当てパターンを示した図である。ＵＥがＣｏＭＰセルのセルＩＤを知っていると仮定したとき、ＵＥは、ＣｏＭＰセルで使用可能なＲＥ及びＣｏＭＰセルのＲＳ割当てパターンを見付けることができ、その結果、チャンネル測定及び復調を行うことができる。具体的に、セルＩＤの異なる２個のセルがＣｏＭＰ動作に参加したとき、２個のセルは式１２及び式１４による別個のセル固有周波数偏移値νｓｈｉｆｔを有し、したがって、別個のＲＳ割当てパターンを有する。
【０１５４】
図２１に示すように、正規循環プレフィクスの場合、ＣＲＳ及びＤＲＳのセル固有周波数偏移値νｓｈｉｆｔとは関係なく、ＣＲＳ又はＤＲＳはいずれも、一つのＰＲＢ内の、セル１及びセル２で同一のＲＥを占有しない。
【０１５５】
図２２は、本発明の一実施例に係る、拡張循環プレフィクスの場合の、別個のセル固有周波数偏移値を有する二つのセル、セル１及びセル２用のＣＲＳ及びＤＲＳ割当てパターンを示した図である。
【０１５６】
図２２を参照すると、拡張ＣＰの場合、ＣＲＳ及びＤＲＳが同一のシンボル（スロット２内のｌ＝１であるシンボル）に存在する。これによって、セル１とセル２との間で、ＣＲＳがＤＲＳと衝突し、互いに干渉する場合が発生する。したがって、システム性能が低下する。
【０１５７】
この問題を解決できる基本的な方法は、ＣＲＳ及びＤＲＳのうちいずれか一つをパンクチャすることである。しかし、ＣＲＳをパンクチャするとチャンネル測定の精度が低下し、一方、ＤＲＳをパンクチャするとチャンネル推定の精度が低下する。
【０１５８】
通常は、復調のためのチャンネル推定がチャンネル測定より重要であることを考慮して、ＣＲＳをパンクチャする。しかし、本発明は、ＤＲＳ及びＣＲＳのうちいずれか一つをパンクチャするよりは、ＣＲＳ及びＤＲＳが別のセル間で同一のＲＥに割り当てられることを避けるように規則を決定することを提案する。
【０１５９】
上述したように、ＬＴＥシステムにおいては、ＣＲＳ及びＤＲＳのセル固有周波数偏移値νｓｈｉｆｔは、式１３、式１４及び式１５によって決定される。したがって、別のセルのＣＲＳとＤＲＳとの間の衝突を避けるために、ＣｏＭＰ動作に参加可能なセルはグループ化される必要がある。式１５によると、ＤＲＳのセル固有周波数偏移値νｓｈｉｆｔは、０、１、２のうち一つであるので、ＣｏＭＰセル全体が３個のセルグループにグループ化される。
【０１６０】
この実施例では、ＣＲＳのセル固有周波数偏移値νｓｈｉｆｔ、０、１、２に応じて、セルがグループＡ、グループＢ、グループＣにグループ化される。しかし、このようなグループの個数は一つの例に過ぎず、ほかのシステムにおいては、νｓｈｉｆｔ値に応じて多様な個数のグループを構成してもよい。
【０１６１】
上記の３個のグループを有するＣｏＭＰ動作が具現されると、別個のＣｏＭＰセルのＣＲＳとＤＲＳとが衝突することがある。したがって、上記３個のグループのうち２個のグループでＣｏＭＰセルを構成することが提案される。また、この場合、２個のグループのそれぞれのＤＲＳは、２個のグループ内のＣＲＳ（又はＣＳＩ―ＲＳ）用に使用しないＲＥに対応する周波数偏移値νｓｈｉｆｔに基づいて、ＲＥに割り当てられることも提案される。以下の例は、３個のグループのうち２個のグループからＣｏＭＰセルを構成することに関するものである。
【０１６２】
ケース１：グループＡからのセル及びグループＢからのセルがＣｏＭＰセルとして動作
【０１６３】
図２３は、本発明の一実施例による、ＣｏＭＰセルが、二つのセル、すなわちグループＡ及びグループＢからのセルである場合の、ＣＲＳとＤＲＳ割当てパターンを示したものである。
【０１６４】
グループＡ及びグループＢからのＣｏＭＰセルはそれぞれ、ＣＲＳ周波数偏移値νｓｈｉｆｔ、０及び１を有する。したがって、ＣｏＭＰセルのＣＲＳは、図２３に示すように周波数軸に沿って偏移される。このとき、ＣＲＳとＤＲＳとの間の衝突を避けるために、ＣｏＭＰセルのＤＲＳ周波数偏移値νｓｈｉｆｔは、二つのグループが使用していないＲＥに対応する周波数偏移値νｓｈｉｆｔに基づいて決定される。例えば、ＤＲＳ周波数偏移値νｓｈｉｆｔは、現在のＬＴＥで定義されたＤＲＳ割当てパターンに基づいて、式１６によって計算される。
【０１６５】
（式１６）
ＤＲＳ  νｓｈｉｆｔ＝（ＣＲＳ  νｓｈｉｆｔ  ｏｆ  Ｇｒｏｕｐ  Ｃ＋１）％Ｎｕｍｂｅｒ  ｏｆ  Ｇｒｏｕｐｓ
【０１６６】
ケース２：グループＡからのセル及びグループＣからのセルがＣｏＭＰセルとして動作
【０１６７】
図２４は、本発明の一実施例による、ＣｏＭＰセルが、二つのグループ、すなわちグループＡ及びグループＣからのセルである場合の、ＣＲＳとＤＲＳ割当てパターンを示した図である。グループＡ及びグループＣからのＣｏＭＰセルはそれぞれ、ＣＲＳ周波数偏移値νｓｈｉｆｔ、０及び２を有する。したがって、上記ＣｏＭＰセルのＣＲＳは、図２４に示すように周波数軸に沿って偏移される。このとき、ＣＲＳとＤＲＳとの間の衝突を避けるために、ＣｏＭＰセルのＤＲＳ周波数偏移値は、二つのグループが使用していないＲＥに対応する周波数偏移値νｓｈｉｆｔに基づいて決定される。例えば、ＤＲＳ周波数偏移値νｓｈｉｆｔは、現在のＬＴＥにおいて定義されたＤＲＳ割当てパターンに基づいて、式１７によって計算される。
【０１６８】
（式１７）
ＤＲＳ  νｓｈｉｆｔ＝（ＣＲＳ  νｓｈｉｆｔ  ｏｆ  Ｇｒｏｕｐ  Ｂ＋１）％Ｎｕｍｂｅｒ  ｏｆ  Ｇｒｏｕｐｓ
【０１６９】
ケース３：グループＢからのセル及びグループＣからのセルがＣｏＭＰセルとして動作
【０１７０】
図２５は、本発明の一実施例による、ＣｏＭＰセルが、二つのグループ、すなわちグループＢ及びグループＣからのセルである場合の、ＣＲＳ及びＤＲＳ割当てパターンを示した図である。グループＢ及びグループＣからのＣｏＭＰセルはそれぞれ、ＣＲＳ周波数偏移値νｓｈｉｆｔ、１及び２を有する。したがって、ＣｏＭＰセルのＣＲＳは、図２５に示すように周波数軸に沿って偏移される。このとき、ＣＲＳとＤＲＳとの間の衝突を避けるために、ＣｏＭＰセルのＤＲＳ周波数偏移値νｓｈｉｆｔは、二つのグループが使用していないＲＥに対応する周波数偏移値νｓｈｉｆｔに基づいて決定される。例えば、ＤＲＳ周波数偏移値νｓｈｉｆｔは、現在のＬＴＥで定義されたＤＲＳ割当てパターンに基づいて、式１８によって計算される。
【０１７１】
（式１８）
ＤＲＳ  νｓｈｉｆｔ＝（ＣＲＳ  νｓｈｉｆｔ  ｏｆ  Ｇｒｏｕｐ  Ａ＋１）％Ｎｕｍｂｅｒ  ｏｆ  Ｇｒｏｕｐｓ
【０１７２】
以上では、３個のグループのうち二つのグループからＣｏＭＰセルが構成される場合を説明した。以下では、３個のグループのうち一個のグループからＣｏＭＰセルが構成される場合を説明する。
【０１７３】
ＣＲＳ周波数偏移値νｓｈｉｆｔによって分類された３個のグループのうち１個のグループからのセルがＣｏＭＰセルとして動作をする場合、このＣｏＭＰセルのＤＲＳは、ＣｏＭＰセルによって使用されていないＲＥに対応する周波数偏移値νｓｈｉｆｔに基づいてＲＥに割り当てられる。以下の例では、３個のグループのそれぞれからのセルがＣｏＭＰセルとしてＣｏＭＰ動作を行い、同一のＣＲＳ周波数偏移値νｓｈｉｆｔを有する。したがって、ＤＲＳのために利用可能なＲＥの個数は、上述した例に比べて多い。以下では、一つのグループからＣｏＭＰセルが構成される場合の、ＣＲＳ及びＤＲＳ割り当てパターンについて説明する。
【０１７４】
ケース１：グループＡからのセルだけがＣｏＭＰセルとして動作
【０１７５】
図２６及び図２７は、本発明の一実施例による、グループＡからＣｏＭＰセルが構成されている場合の、ＣＲＳ及びＤＲＳ割当てパターンを示した図である。
【０１７６】
図２６及び図２７を参照すると、グループＡだけからのＣｏＭＰセルは、０というＣＲＳ周波数偏移値νｓｈｉｆｔを有する。したがって、ＣｏＭＰセルのＣＲＳは、図２６及び図２７に示すように周波数軸に沿って偏移される。例えば、ＤＲＳ周波数偏移値νｓｈｉｆｔは、現在のＬＴＥで定義されたＤＲＳ割当てパターンに基づいて、式１９又は式２０によって計算される。この場合、ＤＲＳ周波数偏移値νｓｈｉｆｔは、式１９及び式２０によって、それぞれ０及び２となる。
【０１７７】
（式１９）
ＤＲＳ  νｓｈｉｆｔ＝ＣＲＳ  νｓｈｉｆｔ  ｏｆ  Ｇｒｏｕｐ  Ａ
【０１７８】
（式２０）
ＤＲＳ  νｓｈｉｆｔ＝（ＣＲＳ  νｓｈｉｆｔ  ｏｆ  Ｇｒｏｕｐ  Ａ＋２）％Ｎｕｍｂｅｒ  ｏｆ  Ｇｒｏｕｐｓ
【０１７９】
ケース２：グループＢからのセルだけがＣｏＭＰセルとして動作
【０１８０】
図２８及び図２９は、本発明の一実施例による、グループＢだけからＣｏＭＰセルが構成されている場合の、ＣＲＳ及びＤＲＳ割当てパターンを示した図である。
【０１８１】
図２８及び図２９を参照すると、グループＢだけからのＣｏＭＰセルは、１というＣＲＳ周波数偏移値νｓｈｉｆｔを有する。したがって、このＣｏＭＰセルのＣＲＳは、図２８及び図２９に示すように周波数軸に沿って偏移される。例えば、ＤＲＳ周波数偏移値νｓｈｉｆｔは、現在のＬＴＥで定義されたＤＲＳ割当てパターンに基づいて、式２１又は式２２によって計算される。この場合、ＤＲＳ周波数偏移値νｓｈｉｆｔは、式２１及び式２２によって、それぞれ１及び０となる。
【０１８２】
（式２１）
ＤＲＳ  νｓｈｉｆｔ＝ＣＲＳ  νｓｈｉｆｔ  ｏｆ  Ｇｒｏｕｐ  Ｂ
【０１８３】
（式２２）
ＤＲＳ  νｓｈｉｆｔ＝（ＣＲＳ  νｓｈｉｆｔ  ｏｆ  Ｇｒｏｕｐ  Ｂ＋２）％Ｎｕｍｂｅｒ  ｏｆ  Ｇｒｏｕｐｓ
【０１８４】
ケース３：グループＣからのセルだけがＣｏＭＰセルとして動作
【０１８５】
図３０及び図３１は、本発明の一実施例による、グループＣからＣｏＭＰセルが構成されている場合の、ＣＲＳ及びＤＲＳ割当てパターンを示した図である。
【０１８６】
図３０及び図３１を参照すると、グループＣだけからのＣｏＭＰセルは、２というＣＲＳ周波数偏移値νｓｈｉｆｔを有する。したがって、このＣｏＭＰセルのＣＲＳは、図３０及び図３１に示すように周波数軸に沿って偏移される。例えば、ＤＲＳ周波数偏移値νｓｈｉｆｔは、現在のＬＴＥで定義されたＤＲＳ割当てパターンに基づいて式２３又は式２４によって計算される。この場合、ＤＲＳ周波数偏移値νｓｈｉｆｔは、式２３及び式２４によって、それぞれ２及び１となる。
【０１８７】
（式２３）
ＤＲＳ  νｓｈｉｆｔ＝ＣＲＳ  νｓｈｉｆｔ  ｏｆ  Ｇｒｏｕｐ  Ｃ
【０１８８】
（式２４）
ＤＲＳ  νｓｈｉｆｔ＝（ＣＲＳ  νｓｈｉｆｔ  ｏｆ  Ｇｒｏｕｐ  Ｃ＋２）％Ｎｕｍｂｅｒ  ｏｆ  Ｇｒｏｕｐｓ
【０１８９】
ＬＴＥシステムにおいては、ＲＳに関して、各セルは別個のセル固有周波数偏移値νｓｈｉｆｔを有する。ＵＥは、ＣｏＭＰ動作に参加できるセルのセルＩＤを受信して、データ送信、すなわち各セルのＣＲＳ割当てパターンに関するｅＮＢからの情報を理解する。ＵＥは、この情報を用いて各セルで利用可能なＲＥ及び各セルのＲＳ割当てパターンを知ることができ、その結果、チャンネル測定及び復調を行うことができる。しかし、２個のグループ、グループ１及びグループ２から、別のセルＩＤを有するセルがＣｏＭＰ動作に参加できるため、セル間でデータとＣＲＳとが同一のＲＥに位置することがある。そのため、各セルは、他のセルのＣＲＳを搬送するＲＥにおいてデータをナリングすることが望ましい。しかし、セルは、シグナリングを受信することによって、ＲＥ内のデータをナリングするかどうかを決定することもできる。
【０１９０】
一方、ＣｏＭＰ情報がＵＥに上位レイヤからシグナリングされるか、又はＰＤＣＣＨ上でシグナリングされる場合、ＣｏＭＰ情報は、データがナリングされているＲＥを示してもよいし、又は、ＣｏＭＰ動作に参加しているセル又はセルグループを示してもよい。ＵＥは、受信したＣｏＭＰ情報を用いて、ＤＲＳの位置又は周波数偏移値νｓｈｉｆｔを判定することができる。
【０１９１】
要約すると、上記の提案したＤＲＳ周波数偏移値（ＤＲＳνｓｈｉｆｔ）指示方法は、１）ＣｏＭＰセルごとに導出したＤＲＳ周波数偏移値を固定された値として使用する方法、２）ＤＲＳ周波数偏移値、又は、均等な情報、例えば、ＣｏＭＰ動作に参加するセルグループ情報が上位レイヤから受信する方法、及び３）ＤＲＳ周波数偏移値、又は、均等な情報、例えば、ＣｏＭＰ動作に参加しているセルグループの情報、をＰＤＣＣＨ上で受信する方法、がある。
【０１９２】
以上、ＣＲＳ及びＤＲＳ割当てパターンが設計される方法を説明した。しかし、この方法は、ＣＲＳ及びＤＲＳ割当てパターンだけに限定されるものではなく、ＣＳＩ―ＲＳ及びＤＲＳ割当てパターンを設計する際にも同様に適用可能である。
【０１９３】
各ＣｏＭＰセルのＣＳＩ―ＲＳ及びＤＲＳが同じシンボルに割り当てられる場合、ＣｏＭＰ動作に参加するセルのＤＲＳ及びＣＳＩ―ＲＳの位置が同一であって、これらが互いに衝突することがある。したがって、以下では、これを解決できる方法を提案する。以下の実施例では、ＣｏＭＰ動作のための共同処理（ｊｏｉｎｔ  ｐｒｏｃｅｓｓｉｎｇ）が考慮されるとき、別個のＣｏＭＰセルからのＤＲＳが同一の資源を共有するように偏移される。したがって、ＤＲＳ周波数偏移値νｓｈｉｆｔは、ＵＥ固有であることが有用である。
【０１９４】
図３２は、本発明の一実施例に係る、ＣｏＭＰセル用のＣＳＩ―ＲＳ及びＤＲＳ割当てパターンを示した図である。図３２を参照すると、ＣＳＩ―ＲＳ周波数偏移値νｓｈｉｆｔがセル固有の値、例えば、セルＩＤに結び付けられている場合、ＤＲＳとＣＳＩ―ＲＳとが同一のＲＥで衝突することがある。
【０１９５】
図３３は、本発明の一実施例に係る、二つのセルがＣｏＭＰ動作を行う場合、ＤＲＳとＣＳＩ―ＲＳとの衝突を避けるために、サービングセルのＤＲＳを偏移することを説明する図である。ＤＲＳとＣＳＩ―ＲＳとの衝突を避けるために、次のような動作が行われる。セル０がサービングセルであると仮定すると、サービングセルのＤＲＳは、別のＣｏＭＰセルのＤＲＳと同一の資源を共有するように偏移される。必要な場合、セル０は、データを搬送するＲＥをナリングしてもよい。
【０１９６】
一方、非―サービングセルのＤＲＳ偏移のために、非―サービングセルのＣＳＩ―ＲＳも偏移される。このために、セル固有ＣＳＩ―ＲＳ周波数偏移値νｓｈｉｆｔを上位レイヤからシグナリングすることを提案する。すなわち、ＣＳＩ―ＲＳがＤＲＳ偏移のために偏移される。上位レイヤシグナリングの観点から、ＣＳＩ―ＲＳ周波数偏移値νｓｈｉｆｔは、ＤＲＳ周波数偏移値νｓｈｉｆｔとは異なる。また、ＣＳＩ―ＲＳの周波数偏移値νｓｈｉｆｔは、ＵＥ固有の方法でシグナリングしてもよい。このシグナリングは、ＲＲＣシグナリング又は動的ＰＤＣＣＨシグナリングとして具現される。
【０１９７】
図３４及び図３５は、本発明の一実施例に係る、二つのセルがＣｏＭＰ動作を行う場合、ＤＲＳとＣＳＩ―ＲＳとの衝突を避けるために、非―サービングセルのＣＳＩ―ＲＳ及びＤＲＳを偏移することを説明する図である。必要な場合、非―サービングセルは、データ用のＲＥをナリングしてもよい。
【０１９８】
実施例４
【０１９９】
図３６は、本発明の一実施例に係る無線フレームの構造を示す図である。本実施例では、ＣｏＭＰ動作に参加するセル又はセルグループに関するチャンネル情報が、別個のサブフレームで測定される。図３６では、２番目のサブフレームであるサブフレーム１はセル０（セルグループＡ）のＣＳＩ―ＲＳを、５番目のサブフレームであるサブフレーム４はセル１（セルグループＢ）のＣＳＩ―ＲＳを、８番目のサブフレームであるサブフレーム７はセル２（セルグループＣ）のＣＳＩ―ＲＳを、搬送すると仮定する。チャンネル測定のために別個のサブフレームが別個のセル又はセルグループのＣＳＩ―ＲＳを搬送するため、別個のセルからの一つのサブフレームによって送信されたＣＳＩ―ＲＳを測定するときに発生する問題、すなわち、別個のセルのＣＳＩ―ＲＳが、セル固有周波数偏移値に基づいて同一のＲＥに割り当てられて衝突する問題が解決される。したがって、ＭＩＭＯ及びＣｏＭＰを同時にサポートするために、上述したようにＣＳＩ―ＲＳ形式を変更する必要がない。一方、チャンネル測定のためには、より少ない個数のＣＳＩ―ＲＳでも十分であることが知られている。そのため、ＣＳＩ―ＲＳは１０ｍｓごとに送信してもよい。
【０２００】
図３７及び図３８は、本発明の一実施例に係るサブフレームの構造を示す図である。
【０２０１】
図３７及び図３８を参照すると、ＵＥは、セル０（セルグループＡ）のＣＳＩ―ＲＳをサブフレーム１で測定し、セル１（セルグループＢ）のＣＳＩ―ＲＳをサブフレーム４で測定する。他のセルとの干渉を減少させるためにデータが特定ＲＥにおいてパンクチャされているときは、サブフレーム当たりにパンクチャされるデータＲＥの総数は、同一のサブフレーム内で複数のセルがチャンネル測定用のＲＳを送信するＣｏＭＰ動作に比べて減少する。その理由は、セル１（セルグループＢ）が、セル０（セルグループＡ）に割り当てられたサブフレームで自分のチャンネル情報を送信する必要がないためである。各セル又はセルグループ用に適切なサブフレームを構成するために、オフセット、期間及び情報を用いてもよい。また、データナリングの適用可否を示す情報を、チャンネル環境に応じてシグナリングしてもよい。その理由は、セルのデータＲＥからの干渉が、他のセルから送信されたＣＳＩ―ＲＳの測定に影響を与えない程度に弱いためである。ナリングのために、期間及びオフセットも使用してよい。
【０２０２】
実施例５
【０２０３】
本実施例では、所定個数のＲＥ位置が、ＣＳＩ―ＲＳへの専用割り当てとして予め定められる。ＣＳＩ―ＲＳが予め定められたＲＥのうちいくつかにおいて送信されない場合、そのＲＥは空の状態に維持される。まず、共通網が、ＣＳＩ―ＲＳ送信のための全体のＲＥ位置を決定する。そして、アンテナポート、シンボル位置、期間などに関するより詳細な情報が、状況に応じて上位レイヤシグナリングによって設定される。シグナリングがない場合、所定個数の予め定められたＲＥ位置は空の状態に維持される。
【０２０４】
図３９〜図５０は、本発明の一実施例による、所定個数のＲＥ位置がＣＳＩ―ＲＳ送信のために予め定められた場合の、ＣＳＩ―ＲＳ割当てパターンを示した図である。図３９〜図５０において、
【数２８】
0005809062.tif 000030
は、ＣＳＩ―ＲＳのために予め定められたＲＥを示す。アンテナ多重化は、ＣＤＭ、ＦＤＭ、ＴＤＭ又はハイブリッド技法によって行われる。１２個の予め定められたＲＥを用いるＣＤＭ方式は、ＲＥにおけるデータのパンクチャなしにＵＥのための１２個のアンテナポートをサポートすることができることが望ましい。
【０２０５】
図５１は、本発明の一実施例に係る、ＦＤＭ多重化方式が適用されたＣｏＭＰ動作に参加する二つのセル用のＣＳＩ―ＲＳ割当てパターンを示した図である。二つのセルがＦＤＭ―ＣｏＭＰ動作に参加する場合、図５１に示したＣＳＩ―ＲＳパターンは、上位レイヤシグナリングによって設定してもよい。アンテナポート０及びアンテナポート１用のＣＳＩ―ＲＳは、セル別に設定してもよい。データＲＥの追加パンクチャに関するシグナリングなしに、セルは、他のセルからの干渉を避けることができる。特に、ＦＤＭの場合、ＣｏＭＰセルのセル固有周波数偏移値νｓｈｉｆｔは、予め定められたＲＥの位置に応じてシグナリングしてもよい。又は、ＣｏＭＰセルのセル固有周波数偏移値νｓｈｉｆｔに応じて、ＣｏＭＰセルの予め定められたＲＥの位置をシグナリングしてもよい。又は、予め定められたＲＥ位置を割り当てるための何らのシグナリングもなく、制限されたセルだけがＣｏＭＰに参加することもできる。セル０は、図５１に示すように、ＣｏＭＰ動作用にアンテナポート０及びアンテナポート１をサポートする。セル０がアンテナポート２及びアンテナポート３を追加でサポートし、４Ｔｘ単一ユーザＭＩＭＯ（ＳＵ―ＭＩＭＯ）で動作する必要があるとき、セル０は、アンテナポート２及びアンテナポート３用のＣＳＩ―ＲＳを、アンテナポート０及びアンテナポート１用のＣＳＩ―ＲＳを搬送するサブフレームとは異なるサブフレームで送信することができる。このとき、アンテナポート２及びアンテナポート３用のＣＳＩ―ＲＳを搬送するサブフレームに関する情報は、オフセットによって指示してもよい。
【０２０６】
以上言及した実施例は、ＣｏＭＰを前提にして説明したが、これらの実施例は、リレーＤｗＰＴＳなどにも適用可能である。
【０２０７】
図５２は、ｅＮＢ及びユーザ機器に適用可能であり、本発明の実施例による上述の方法を実現できる装置の構成を示すブロック図である。図５２に示すように、装置６０は、処理ユニット６１、メモリユニット６２、ＲＦユニット６３、ディスプレイユニット６４及びユーザインタフェースユニット６５を含む。物理インタフェースプロトコルの階層の機能は、処理ユニット６１で行われる。処理ユニット６１は、制御プレーン及びユーザプレーンを提供する。各階層の機能も処理ユニット６１で行われる。メモリユニット６２は、処理ユニット６１と電気的に接続されており、オペレーティングシステム、応用プログラム及び一般のファイルを記憶している。装置６０がユーザ機器であるときは、ディスプレイユニット６４は、多様な情報を表示することができ、公知の液晶ディスプレイ（ＬＣＤ）、有機発光ダイオード（ＯＬＥＤ）などを用いて具現される。ユーザインタフェースユニット６５は、キーパッド、タッチスクリーンなどのような公知のユーザインタフェースと組合わせて構成される。ＲＦユニット６３は、処理ユニット６１と電気的に接続されており、無線信号を送信又は受信する。
【産業上の利用可能性】
【０２０８】
本発明は、無線通信システムにおけるＵＥ、ｅＮＢ又はその他の装置に適用される。
【０２０９】
以上説明した各実施例は、本発明の各構成要素と特徴が所定形態に結合されたものである。各構成要素又は特徴は、別途の明示的な言及がない限り、選択的なものとして考慮されなければならない。各構成要素又は特徴は、他の構成要素や特徴と結合されない形態で実施され得る。また、一部の構成要素及び／又は特徴を結合して本発明の実施例を構成することも可能である。本発明の各実施例で説明する各動作の順序は変更可能である。一つの実施例の一部の構成や特徴は、他の実施例に含まれたり、又は、他の実施例の対応する構成又は特徴に置き替えることができる。特許請求の範囲で明示的な引用関係のない請求項を結合して実施例を構成したり、出願後の補正によって新しい請求項を含ませたりすることができることは自明である。
【０２１０】
本発明において、ユーザ機器（ＵＥ）は、移動機（ＭＳ）、加入者局（ＳＳ）、移動体加入者局（ＭＳＳ）又は端末などの用語に置き替えてもよい。
【０２１１】
一方、本発明のＵＥとしては、ＰＤＡ、セルラ電話機、パーソナル通信サービス（ＰＣＳ）電話機、ＧＳＭ電話機、ＷＣＤＭＡ電話機、移動体広帯域システム（ＭＢＳ）電話機などのいずれであってもよい。
【０２１２】
本発明の実施例は、多様な手段を通して具現される。例えば、本発明の実施例は、ハードウェア、ファームウェア、ソフトウェア又はそれらの組合わせによって具現される。
【０２１３】
ハードウェアによる具現の場合、本発明の各実施例に係る方法は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって具現される。
【０２１４】
ファームウェアやソフトウェアによる具現の場合、本発明の実施例に係る方法は、以上説明した機能又は各動作を行うモジュール、手順又は関数などの形態で具現される。ソフトウェアコードは、メモリユニットに記憶され、プロセッサによって実行される。前記メモリユニットは、プロセッサの内部又は外部に位置し、既に公知の多様な手段によってプロセッサとデータを送受信することができる。
【０２１５】
本発明は、本発明の精神及び必須的な特徴を逸脱しない範囲で他の特定の形態に具体化され得る。したがって、前記の詳細な説明は、すべての面で制限的に解釈してはならず、例示的なものとして考慮されなければならない。本発明の範囲は、添付の請求項の合理的な解釈によって決定されなければならず、本発明と均等な範囲内でのすべての変更は本発明の範囲に含まれる。また、特許請求の範囲で明示的な引用関係のない各請求項を結合して実施例を構成したり、出願後の補正によって新しい請求項を含ませることができる。
【図１】
0005809062.tif 000031
【図２】
0005809062.tif 000032
【図３】
0005809062.tif 000033
【図４】
0005809062.tif 000034
【図５】
0005809062.tif 000035
【図６】
0005809062.tif 000036
【図７】
0005809062.tif 000037
【図８】
0005809062.tif 000038
【図９】
0005809062.tif 000039
【図１０】
0005809062.tif 000040
【図１１】
0005809062.tif 000041
【図１２】
0005809062.tif 000042
【図１３】
0005809062.tif 000043
【図１４】
0005809062.tif 000044
【図１５】
0005809062.tif 000045
【図１６】
0005809062.tif 000046
【図１７】
0005809062.tif 000047
【図１８】
0005809062.tif 000048
【図１９】
0005809062.tif 000049
【図２０】
0005809062.tif 000050
【図２１】
0005809062.tif 000051
【図２２】
0005809062.tif 000052
【図２３】
0005809062.tif 000053
【図２４】
0005809062.tif 000054
【図２５】
0005809062.tif 000055
【図２６】
0005809062.tif 000056
【図２７】
0005809062.tif 000057
【図２８】
0005809062.tif 000058
【図２９】
0005809062.tif 000059
【図３０】
0005809062.tif 000060
【図３１】
0005809062.tif 000061
【図３２】
0005809062.tif 000062
【図３３】
0005809062.tif 000063
【図３４】
0005809062.tif 000064
【図３５】
0005809062.tif 000065
【図３６】
0005809062.tif 000066
【図３７】
0005809062.tif 000067
【図３８】
0005809062.tif 000068
【図３９】
0005809062.tif 000069
【図４０】
0005809062.tif 000070
【図４１】
0005809062.tif 000071
【図４２】
0005809062.tif 000072
【図４３】
0005809062.tif 000073
【図４４】
0005809062.tif 000074
【図４５】
0005809062.tif 000075
【図４６】
0005809062.tif 000076
【図４７】
0005809062.tif 000077
【図４８】
0005809062.tif 000078
【図４９】
0005809062.tif 000079
【図５０】
0005809062.tif 000080
【図５１】
0005809062.tif 000081
【図５２】
0005809062.tif 000082